(57)【要約】【課題】本発明は、ＷＬＡＮシステムのリソース指示方法及び装置を提供する。【解決手段】方法は、アクセスポイントによって、リソース指示情報を保持するフレームを生成する段階と、複数の局に、リソース指示情報を保持するフレームを送信する段階と、を含む。リソース指示情報は、サブリソース指示情報を複数含む。これに対応して、サブリソース指示情報の各々は、複数の局の１つに一意に対応する。従って、局側は、全リソース指示情報を読み出す必要がなく、これにより、リソースオーバヘッドが減少し、効率が改善される。【選択図】図２
2020022200.tif 000002
【特許請求の範囲】
【請求項１】
ＷＬＡＮシステムのリソース指示方法であって、
アクセスポイントによって、リソース指示情報を保持するフレームを生成する段階と、
前記アクセスポイントによって、複数の局に、前記リソース指示情報を保持する前記フレームを送信する段階であって、前記リソース指示情報は、サブリソース指示情報を複数含み、これに対応して、前記サブリソース指示情報の各々は、前記複数の局の１つに一意に対応し、前記サブリソース指示情報の各々は、対応する局の識別子、周波数ドメインリソース割り当て情報及び空間フロー情報を含む、段階と、
を備え、
前記周波数ドメインリソース割り当て情報は、１つの指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
各々が、留保される指標「６８−１２７」
のうちの１つである、
方法。
【請求項２】
ＷＬＡＮシステムのリソース指示方法であって、
アクセスポイントによって送信された、リソース指示情報を保持するフレームを、局によって受信する段階であって、前記リソース指示情報は、サブリソース指示情報を複数含む、段階と、
前記局によって、前記サブリソース指示情報を予め設定された順序で連続的に読み出し、前記サブリソース指示情報の読み出しによって、前記局に対応するサブリソース指示情報が取得された後で、読み出しを停止する段階であって、前記サブリソース指示情報の各々は、対応する局の識別子、周波数ドメインリソース割り当て情報及び空間フロー情報を含む、段階と、
を備え、
前記周波数ドメインリソース割り当て情報は、１つの指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
各々が、留保される指標「６８−１２７」
のうちの１つである、
方法。
【請求項３】
前記局が、読み出しによって、前記局に対応する前記サブリソース指示情報を取得した後で、前記方法は、
前記局によって、前記指標に従って、前記指標に一意に対応する前記周波数ドメインリソース割り当てテーブルにおけるリソース割り当て情報について、前記周波数ドメインリソース割り当てテーブルをサーチする段階
をさらに備える、
請求項２に記載の方法。
【請求項４】
前記指標に対応する前記周波数ドメインリソース単位の前記位置は、固定かつ一意である、
請求項１から３のいずれか１項に記載の方法。
【請求項５】
前記周波数ドメインリソース割り当てテーブルは、前記指標、複数の異なるサイズの周波数ドメインリソース単位及び各サイズの周波数ドメインリソース単位のリソース割り当て方式の数を含む、
請求項１から４のいずれか１項に記載の方法。
【請求項６】
前記周波数ドメインリソース割り当てテーブルは、各サイズの周波数ドメインリソース単位を用いることによって実行される分割の後で取得される、全周波数ドメインリソースにおける各周波数ドメインリソース単位の位置をさらに含む、
請求項５に記載の方法。
【請求項７】
前記ＷＬＡＮシステムの帯域幅が２０ＭＨｚである場合に、
前記周波数ドメインリソース割り当てテーブルにおける前記周波数ドメインリソース単位の前記サイズは、２６のトーン、５２のトーン、１０６のトーン、及び２４２のトーンを含む、又は、前記周波数ドメインリソース割り当てテーブルにおける前記周波数ドメインリソース単位の前記サイズは、２６のトーン、５２のトーン、１０７のトーン、及び２４２のトーンを含む、又は、前記周波数ドメインリソース割り当てテーブルにおける前記周波数ドメインリソース単位の前記サイズは、２６のトーン、５２のトーン、１０８のトーン、及び２４２のトーンを含み、
周波数ドメインリソース単位の前記サイズが２６のトーンである場合、９つのリソース割り当て方式が含まれ、
周波数ドメインリソース単位の前記サイズが５２のトーンである場合、４つのリソース割り当て方式が含まれ、
周波数ドメインリソース単位の前記サイズが１０６のトーン、１０７のトーン、又は１０８のトーンである場合、２つのリソース割り当て方式が含まれ、
周波数ドメインリソース単位の前記サイズが２４２のトーンである場合、１つのリソース割り当て方式が含まれる、
請求項３に記載の方法。
【請求項８】
前記ＷＬＡＮシステムの帯域幅が４０ＭＨｚである場合に、
前記周波数ドメインリソース割り当てテーブルにおける前記周波数ドメインリソース単位の前記サイズは、２６のトーン、５２のトーン、１０６のトーン、２４２のトーン、及び４８４のトーンを含む、又は、前記周波数ドメインリソース割り当てテーブルにおける前記周波数ドメインリソース単位の前記サイズは、２６のトーン、５２のトーン、１０７のトーン、２４２のトーン、及び４８４のトーンを含む、又は、前記周波数ドメインリソース割り当てテーブルにおける前記周波数ドメインリソース単位の前記サイズは、２６のトーン、５２のトーン、１０８のトーン、２４２のトーン、及び４８４のトーンを含み、
周波数ドメインリソース単位の前記サイズが２６のトーンである場合、１８のリソース割り当て方式が含まれ、
周波数ドメインリソース単位の前記サイズが５２のトーンである場合、８つのリソース割り当て方式が含まれ、
周波数ドメインリソース単位の前記サイズが１０６のトーン、１０７のトーン、又は１０８のトーンである場合、４つのリソース割り当て方式が含まれ、
周波数ドメインリソース単位の前記サイズが２４２のトーンである場合、２つのリソース割り当て方式が含まれ、
周波数ドメインリソース単位の前記サイズが４８４のトーンである場合、１つのリソース割り当て方式が含まれる、
請求項３に記載の方法。
【請求項９】
前記ＷＬＡＮシステムの帯域幅が８０ＭＨｚである場合に、
前記周波数ドメインリソース割り当てテーブルにおける前記周波数ドメインリソース単位の前記サイズは、２６のトーン、５２のトーン、１０６のトーン、２４２のトーン、４８４のトーン、及び９９６のトーンを含む、又は、前記周波数ドメインリソース割り当てテーブルにおける前記周波数ドメインリソース単位の前記サイズは、２６のトーン、５２のトーン、１０７のトーン、２４２のトーン、４８４のトーン、及び９９６のトーンを含む、又は、前記周波数ドメインリソース割り当てテーブルにおける前記周波数ドメインリソース単位の前記サイズは、２６のトーン、５２のトーン、１０８のトーン、２４２のトーン、４８４のトーン、及び９９６のトーンを含み、
周波数ドメインリソース単位の前記サイズが２６のトーンである場合、３７のリソース割り当て方式が含まれ、
周波数ドメインリソース単位の前記サイズが５２のトーンである場合、１６のリソース割り当て方式が含まれ、
周波数ドメインリソース単位の前記サイズが１０６のトーン、１０７のトーン、又は１０８のトーンである場合、８つのリソース割り当て方式が含まれ、周波数ドメインリソース単位の前記サイズが２４２のトーンである場合、４つのリソース割り当て方式が含まれ、
周波数ドメインリソース単位の前記サイズが４８４のトーンである場合、２つのリソース割り当て方式が含まれ、
周波数ドメインリソース単位の前記サイズが９９６のトーンである場合、１つのリソース割り当て方式が含まれる、
請求項３に記載の方法。
【請求項１０】
前記指標は、８ビットの指標であり、前記指標の特定のビットは、２つの８０ＭＨｚ帯域幅の間を区別するために用いられる、
請求項１から３のいずれか１項に記載の方法。
【請求項１１】
ＷＬＡＮシステムのリソース指示装置であって、
リソース指示情報を保持するフレームを生成する生成モジュールと、
複数の局に、前記リソース指示情報を保持する前記フレームを送信する送信モジュールであって、前記リソース指示情報は、サブリソース指示情報を複数含み、これに対応して、前記サブリソース指示情報の各々は、前記複数の局の１つに一意に対応し、前記サブリソース指示情報の各々は、対応する局の識別子、周波数ドメインリソース割り当て情報及び空間フロー情報を含む、送信モジュールと、
を備え、
前記周波数ドメインリソース割り当て情報は、１つの指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
各々が、留保される指標「６８−１２７」
のうちの１つである、
装置。
【請求項１２】
ＷＬＡＮシステムのリソース指示装置であって、
アクセスポイントによって送信された、リソース指示情報を保持するフレームを受信する受信モジュールであって、前記リソース指示情報は、サブリソース指示情報を複数含む、受信モジュールと、
前記サブリソース指示情報を予め設定された順序で連続的に読み出し、前記サブリソース指示情報の読み出しによって、局に対応するサブリソース指示情報が取得された後で、読み出しを停止する読み出しモジュールと、
を備え、
前記サブリソース指示情報の各々は、対応する局の識別子、周波数ドメインリソース割り当て情報及び空間フロー情報を含み、
前記周波数ドメインリソース割り当て情報は、１つの指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
各々が、留保される指標「６８−１２７」
のうちの１つである、
装置。
【請求項１３】
前記ＷＬＡＮシステムの帯域幅が２０ＭＨｚである場合に、
前記周波数ドメインリソース割り当てテーブルにおける前記周波数ドメインリソース単位の前記サイズは、２６のトーン、５２のトーン、１０６のトーン、及び２４２のトーンを含み、
周波数ドメインリソース単位の前記サイズが２６のトーンである場合、９つのリソース割り当て方式が含まれ、
周波数ドメインリソース単位の前記サイズが５２のトーンである場合、４つのリソース割り当て方式が含まれ、
周波数ドメインリソース単位の前記サイズが１０６のトーン、１０７のトーン、又は１０８のトーンである場合、２つのリソース割り当て方式が含まれ、
周波数ドメインリソース単位の前記サイズが２４２のトーンである場合、１つのリソース割り当て方式が含まれる、
請求項１２に記載の装置。
【請求項１４】
前記ＷＬＡＮシステムの帯域幅が４０ＭＨｚである場合に、
前記周波数ドメインリソース割り当てテーブルにおける前記周波数ドメインリソース単位の前記サイズは、２６のトーン、５２のトーン、１０６のトーン、２４２のトーン、及び４８４のトーンを含み、
周波数ドメインリソース単位の前記サイズが２６のトーンである場合、１８のリソース割り当て方式が含まれ、
周波数ドメインリソース単位の前記サイズが５２のトーンである場合、８つのリソース割り当て方式が含まれ、
周波数ドメインリソース単位の前記サイズが１０６のトーンである場合、４つのリソース割り当て方式が含まれ、
周波数ドメインリソース単位の前記サイズが２４２のトーンである場合、２つのリソース割り当て方式が含まれ、
周波数ドメインリソース単位の前記サイズが４８４のトーンである場合、１つのリソース割り当て方式が含まれる、
請求項１２に記載の装置。
【請求項１５】
前記ＷＬＡＮシステムの帯域幅が８０ＭＨｚである場合に、
前記周波数ドメインリソース割り当てテーブルにおける前記周波数ドメインリソース単位の前記サイズは、２６のトーン、５２のトーン、１０６のトーン、２４２のトーン、４８４のトーン、及び９９６のトーンを含み、
周波数ドメインリソース単位の前記サイズが２６のトーンである場合、３７のリソース割り当て方式が含まれ、
周波数ドメインリソース単位の前記サイズが５２のトーンである場合、１６のリソース割り当て方式が含まれ、
周波数ドメインリソース単位の前記サイズが１０６のトーンである場合、８つのリソース割り当て方式が含まれ、周波数ドメインリソース単位の前記サイズが２４２のトーンである場合、４つのリソース割り当て方式が含まれ、
周波数ドメインリソース単位の前記サイズが４８４のトーンである場合、２つのリソース割り当て方式が含まれ、
周波数ドメインリソース単位の前記サイズが９９６のトーンである場合、１つのリソース割り当て方式が含まれる、
請求項１２に記載の装置。
【請求項１６】
前記指標は、８ビットの指標であり、前記指標の特定のビットは、２つの８０ＭＨｚ帯域幅の間を区別するために用いられる、
請求項１１に記載の装置。
【請求項１７】
請求項１から１０のいずれか１項に記載の方法をコンピュータに実行させるためのプログラム。
【請求項１８】
プログラムが記録されたコンピュータ可読記録媒体であって、前記プログラムは、実行された場合に、請求項１から１０のいずれか１項に記載の方法をコンピュータに実行させる、コンピュータ可読記録媒体。
【発明の詳細な説明】
【技術分野】
【０００１】
本願は、２０１５年６月１８日に中国特許庁に出願された、発明の名称を「ＷＬＡＮシステムのリソース指示方法及び装置」とするＰＣＴ特許出願第ＰＣＴ／ＣＮ２０１５／０８１８５９号に対する優先権を主張し、本願はさらに、２０１５年４月３０日に中国特許庁に出願された、発明の名称を「ＷＬＡＮシステムのリソース指示方法及び装置」とするＰＣＴ特許出願第ＰＣＴ／ＣＮ２０１５／０７７９１２号に対する優先権を主張する。これらは、その全体において、参照により本明細書に組み込まれる。本発明は、通信技術に関し、詳細には、ＷＬＡＮシステムのリソース指示方法及び装置に関する。
【背景技術】
【０００２】
モバイルインターネットの発展及びインテリジェント端末の普及に伴い、データトラフィックが爆発的に増加している。無線ローカルエリアネットワーク（ＷＬＡＮ）は、無線ローカルエリアネットワークが高速かつ低コストであることの利点により、現在主流のモバイルブロードバンドアクセス技術の１つになっている。次世代ＷＬＡＮシステム８０２．１１ａｘにおいて、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）技術が、システムリソースの利用を改善するために導入され得る。具体的には、ＯＦＤＭＡ技術は、異なるチャネルリソースを異なるユーザに同時に割り当てるために用いられてよく、これにより、複数のユーザが、チャネルに効率的にアクセスでき、これにより、チャネルの利用を改善する。ＷＬＡＮでは、ＯＦＤＭＡ技術の導入により、異なる時間周波数リソースにおいて、異なる局（Ｓｔａｔｉｏｎ、略してＳＴＡ）に対してアップリンク及びダウンリンク伝送を実行するアクセスポイント（Ａｃｃｅｓｓ  Ｐｏｉｎｔ、略してＡＰ）が実現され得る。しかしながら、ＯＦＤＭＡ技術が次世代ＷＬＡＮシステム８０２．１１ａｘに導入された後、現在の問題は、どのようにリソース指示を実行するかということである。
【０００３】
従来技術において、ＯＦＤＭＡ技術が用いられるロングタームエボリューション（Ｌｏｎｇ  Ｔｅｒｍ  Ｅｖｏｌｕｔｉｏｎ、略してＬＴＥ）システムを参照されたい。ＬＴＥシステムにおいて、リソースは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略してＰＤＣＣＨ）を用いることによって、ダウンリンク制御情報（Ｄｏｗｎｌｉｎｋ  Ｃｏｎｔｒｏｌ  Ｉｎｆｏｒｍａｔｉｏｎ、略してＤＣＩ）を伝送する方式で示される。ＤＣＩは、全ての対応するユーザ機器（Ｕｓｅｒ  Ｅｑｕｉｐｍｅｎｔ、略してＵＥ）のリソース指示情報を保持する。ＤＣＩを受信した後で、ＵＥは、ブラインド検出方式でＤＣＩ空間をサーチし、ＵＥのリソース指示情報を取得する。
【０００４】
しかしながら、ＬＴＥシステムのリソース指示方式において、各ＵＥは、ＵＥのリソース指示情報について、ブラインド検出方式で、全ＤＣＩをサーチする必要がある。これは、ＵＥの処理能力に対して、高い要求である。ＬＴＥシステムのリソース指示方式が低コストＷＬＡＮにおいて直接用いられる場合、ＷＬＡＮのコスト及びリソース消費が、大幅に増加し得る。
【発明の概要】
【０００５】
本発明の実施形態は、ＷＬＡＮシステムのリソース指示方法及び装置を提供し、これにより、従来技術のリソース指示方式における大量のリソース消費の問題を解決する。
【０００６】
本発明の第１の態様は、ＷＬＡＮシステムのリソース指示方法を提供する。方法は、
アクセスポイントによって、リソース指示情報を保持するフレームを生成する段階と、
アクセスポイントによって、複数の局に、リソース指示情報を保持するフレームを送信する段階であって、リソース指示情報は、サブリソース指示情報を複数含み、これに対応して、サブリソース指示情報の各々は、複数の局の１つに一意に対応し、サブリソース指示情報は、対応する局の周波数ドメインリソース割り当て情報及び／又は空間フロー情報を含む、段階、又は、
アクセスポイントによって、複数の局グループに、リソース指示情報を保持するフレームを送信する段階であって、リソース指示情報は、サブリソース指示情報を複数含み、これに対応して、サブリソース指示情報の各々は、複数の局グループの１つに一意に対応し、サブリソース指示情報は、対応する局グループの周波数ドメインリソース割り当て情報及び／又は空間フロー情報を含む、段階と、
を含む。
【０００７】
第１の態様に関連して、第１の態様の第１の可能な実装方式において、
周波数ドメインリソース割り当て情報は、周波数ドメインリソース割り当てテーブルにおける指標を含み、これにより、局は、周波数ドメインリソース割り当てテーブルにおける指標に従って、局に一意に対応する周波数ドメインリソース単位のサイズ及び位置について、周波数ドメインリソース割り当てテーブルをサーチする、又は、局グループは、周波数ドメインリソース割り当てテーブルにおける指標に従って、局グループに一意に対応する周波数ドメインリソース単位のサイズ及び位置について、周波数ドメインリソース割り当てテーブルをサーチし、
周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各サブ周波数ドメインリソースの位置、及び周波数ドメインリソース割り当てテーブルにおける指標を含む。
【０００８】
第１の態様の第１の可能な実装方式に関連して、第１の態様の第２の可能な実装方式において、ＷＬＡＮシステムの帯域幅が２０メガヘルツＭＨｚである場合に、
周波数ドメインリソース割り当てテーブルにおける周波数ドメインリソース単位のサイズは、２６のトーン、５２のトーン、及び１０６のトーンを含む、又は、周波数ドメインリソース割り当てテーブルにおける周波数ドメインリソース単位のサイズは、２６のトーン、５２のトーン、及び１０７のトーンを含む、又は、周波数ドメインリソース割り当てテーブルにおける周波数ドメインリソース単位のサイズは、２６のトーン、５２のトーン、及び１０８のトーンを含み、
周波数ドメインリソース単位のサイズが２６のトーンである場合、９つのリソース割り当て方式が含まれ、
周波数ドメインリソース単位のサイズが５２のトーンである場合、４つのリソース割り当て方式が含まれ、
周波数ドメインリソース単位のサイズが１０６のトーン、１０７のトーン、又は１０８のトーンである場合、２つのリソース割り当て方式が含まれる。
【０００９】
第１の態様の第１の可能な実装方式に関連して、第１の態様の第３の可能な実装方式において、ＷＬＡＮシステムの帯域幅が２０ＭＨｚである場合に、
周波数ドメインリソース割り当てテーブルにおける周波数ドメインリソース単位のサイズは、２６のトーン、５２のトーン、１０６のトーン、及び２４２のトーンを含む、又は、周波数ドメインリソース割り当てテーブルにおける周波数ドメインリソース単位のサイズは、２６のトーン、５２のトーン、１０７のトーン、及び２４２のトーンを含む、又は、周波数ドメインリソース割り当てテーブルにおける周波数ドメインリソース単位のサイズは、２６のトーン、５２のトーン、１０８のトーン、及び２４２のトーンを含み、
周波数ドメインリソース単位のサイズが２６のトーンである場合、９つのリソース割り当て方式が含まれ、
周波数ドメインリソース単位のサイズが５２のトーンである場合、４つのリソース割り当て方式が含まれ、
周波数ドメインリソース単位のサイズが１０６のトーン、１０７のトーン、又は１０８のトーンである場合、２つのリソース割り当て方式が含まれ、
周波数ドメインリソース単位のサイズが２４２のトーンである場合、１つのリソース割り当て方式が含まれる。
【００１０】
第１の態様の第１の可能な実装方式に関連して、第１の態様の第４の可能な実装方式において、ＷＬＡＮシステムの帯域幅が４０ＭＨｚである場合に、
周波数ドメインリソース割り当てテーブルにおける周波数ドメインリソース単位のサイズは、２６のトーン、５２のトーン、１０６のトーン、及び２４２のトーンを含む、又は、周波数ドメインリソース割り当てテーブルにおける周波数ドメインリソース単位のサイズは、２６のトーン、５２のトーン、１０７のトーン、及び２４２のトーンを含む、又は、周波数ドメインリソース割り当てテーブルにおける周波数ドメインリソース単位のサイズは、２６のトーン、５２のトーン、１０８のトーン、及び２４２のトーンを含み、
周波数ドメインリソース単位のサイズが２６のトーンである場合、１８のリソース割り当て方式が含まれ、
周波数ドメインリソース単位のサイズが５２のトーンである場合、８つのリソース割り当て方式が含まれ、
周波数ドメインリソース単位のサイズが１０６のトーン、１０７のトーン、又は１０８のトーンである場合、４つのリソース割り当て方式が含まれ、
周波数ドメインリソース単位のサイズが２４２のトーンである場合、２つのリソース割り当て方式が含まれる。
【００１１】
第１の態様の第１の可能な実装方式に関連して、第１の態様の第５の可能な実装方式において、ＷＬＡＮシステムの帯域幅が４０ＭＨｚである場合に、
周波数ドメインリソース割り当てテーブルにおける周波数ドメインリソース単位のサイズは、２６のトーン、５２のトーン、１０６のトーン、２４２のトーン、及び４８４のトーンを含む、又は、周波数ドメインリソース割り当てテーブルにおける周波数ドメインリソース単位のサイズは、２６のトーン、５２のトーン、１０７のトーン、２４２のトーン、及び４８４のトーンを含む、又は、周波数ドメインリソース割り当てテーブルにおける周波数ドメインリソース単位のサイズは、２６のトーン、５２のトーン、１０８のトーン、２４２のトーン、及び４８４のトーンを含み、
周波数ドメインリソース単位のサイズが２６のトーンである場合、１８のリソース割り当て方式が含まれ、
周波数ドメインリソース単位のサイズが５２のトーンである場合、８つのリソース割り当て方式が含まれ、
周波数ドメインリソース単位のサイズが１０６のトーン、１０７のトーン、又は１０８のトーンである場合、４つのリソース割り当て方式が含まれ、
周波数ドメインリソース単位のサイズが２４２のトーンである場合、２つのリソース割り当て方式が含まれ、
周波数ドメインリソース単位のサイズが４８４のトーンである場合、１つのリソース割り当て方式が含まれる。
【００１２】
第１の態様の第１の可能な実装方式に関連して、第１の態様の第６の可能な実装方式において、ＷＬＡＮシステムの帯域幅が８０ＭＨｚである場合に、
周波数ドメインリソース割り当てテーブルにおける周波数ドメインリソース単位のサイズは、２６のトーン、５２のトーン、１０６のトーン、２４２のトーン、及び４８４のトーンを含む、又は、周波数ドメインリソース割り当てテーブルにおける周波数ドメインリソース単位のサイズは、２６のトーン、５２のトーン、１０７のトーン、２４２のトーン、及び４８４のトーンを含む、又は、周波数ドメインリソース割り当てテーブルにおける周波数ドメインリソース単位のサイズは、２６のトーン、５２のトーン、１０８のトーン、２４２のトーン、及び４８４のトーンを含み、
周波数ドメインリソース単位のサイズが２６のトーンである場合、３７のリソース割り当て方式が含まれ、
周波数ドメインリソース単位のサイズが５２のトーンである場合、１６のリソース割り当て方式が含まれ、
周波数ドメインリソース単位のサイズが１０６のトーン、１０７のトーン、又は１０８のトーンである場合、８つのリソース割り当て方式が含まれ、
周波数ドメインリソース単位のサイズが２４２のトーンである場合、４つのリソース割り当て方式が含まれ、
周波数ドメインリソース単位のサイズが４８４のトーンである場合、２つのリソース割り当て方式が含まれる。
【００１３】
第１の態様の第１の可能な実装方式に関連して、第１の態様の第７の可能な実装方式において、ＷＬＡＮシステムの帯域幅が８０ＭＨｚである場合に、
周波数ドメインリソース割り当てテーブルにおける周波数ドメインリソース単位のサイズは、２６のトーン、５２のトーン、１０６のトーン、２４２のトーン、４８４のトーン、及び９９６のトーンを含む、又は、周波数ドメインリソース割り当てテーブルにおける周波数ドメインリソース単位のサイズは、２６のトーン、５２のトーン、１０７のトーン、２４２のトーン、４８４のトーン、及び９９６のトーンを含む、又は、周波数ドメインリソース割り当てテーブルにおける周波数ドメインリソース単位のサイズは、２６のトーン、５２のトーン、１０８のトーン、２４２のトーン、４８４のトーン、及び９９６のトーンを含み、
周波数ドメインリソース単位のサイズが２６のトーンである場合、３７のリソース割り当て方式が含まれ、
周波数ドメインリソース単位のサイズが５２のトーンである場合、１６のリソース割り当て方式が含まれ、
周波数ドメインリソース単位のサイズが１０６のトーン、１０７のトーン、又は１０８のトーンである場合、８つのリソース割り当て方式が含まれ、
周波数ドメインリソース単位のサイズが２４２のトーンである場合、４つのリソース割り当て方式が含まれ、
周波数ドメインリソース単位のサイズが４８４のトーンである場合、２つのリソース割り当て方式が含まれ、
周波数ドメインリソース単位のサイズが９９６のトーンである場合、１つのリソース割り当て方式が含まれる。
【００１４】
第１の態様の第１の可能な実装方式に関連して、第１の態様の第８の可能な実装方式において、ＷＬＡＮシステムの帯域幅が８０ＭＨｚである場合に、
周波数ドメインリソース割り当てテーブルにおける周波数ドメインリソース単位のサイズは、２６のトーン、５２のトーン、１０６のトーン、２４２のトーン、及び４８４のトーンを含む、又は、周波数ドメインリソース割り当てテーブルにおける周波数ドメインリソース単位のサイズは、２６のトーン、５２のトーン、１０７のトーン、２４２のトーン、及び４８４のトーンを含む、又は、周波数ドメインリソース割り当てテーブルにおける周波数ドメインリソース単位のサイズは、２６のトーン、５２のトーン、１０８のトーン、２４２のトーン、及び４８４のトーンを含み、
周波数ドメインリソース単位のサイズが２６のトーンである場合、５つのリソース割り当て方式が含まれ、
周波数ドメインリソース単位のサイズが５２のトーンである場合、１６のリソース割り当て方式が含まれ、
周波数ドメインリソース単位のサイズが１０６のトーン、１０７のトーン、又は１０８のトーンである場合、８つのリソース割り当て方式が含まれ、
周波数ドメインリソース単位のサイズが２４２のトーンである場合、４つのリソース割り当て方式が含まれ、
周波数ドメインリソース単位のサイズが４８４のトーンである場合、２つのリソース割り当て方式が含まれ、
周波数ドメインリソース単位のサイズが２６のトーンである周波数ドメインリソースは、他の周波数ドメインリソース単位を用いることによって実行される分割の後で取得される残存周波数ドメインリソースである。
【００１５】
第１の態様の第１の可能な実装方式に関連して、第１の態様の第９の可能な実装方式において、ＷＬＡＮシステムの帯域幅が８０ＭＨｚである場合に、
周波数ドメインリソース割り当てテーブルにおける周波数ドメインリソース単位のサイズは、２６のトーン、５２のトーン、１０６のトーン、２４２のトーン、４８４のトーン、及び９９６のトーンを含む、又は、周波数ドメインリソース割り当てテーブルにおける周波数ドメインリソース単位のサイズは、２６のトーン、５２のトーン、１０７のトーン、２４２のトーン、４８４のトーン、及び９９６のトーンを含む、又は、周波数ドメインリソース割り当てテーブルにおける周波数ドメインリソース単位のサイズは、２６のトーン、５２のトーン、１０８のトーン、２４２のトーン、４８４のトーン、及び９９６のトーンを含み、
周波数ドメインリソース単位のサイズが２６のトーンである場合、５つのリソース割り当て方式が含まれ、
周波数ドメインリソース単位のサイズが５２のトーンである場合、１６のリソース割り当て方式が含まれ、
周波数ドメインリソース単位のサイズが１０６のトーン、１０７のトーン、又は１０８のトーンである場合、８つのリソース割り当て方式が含まれ、
周波数ドメインリソース単位のサイズが２４２のトーンである場合、４つのリソース割り当て方式が含まれ、
周波数ドメインリソース単位のサイズが４８４のトーンである場合、２つのリソース割り当て方式が含まれ、
周波数ドメインリソース単位のサイズが９９６のトーンである場合、１つのリソース割り当て方式が含まれ、
周波数ドメインリソース単位のサイズが２６のトーンである周波数ドメインリソースは、他の周波数ドメインリソース単位を用いることによって実行される分割の後で取得される残存周波数ドメインリソースである。
【００１６】
第１の態様に関連して、第１の態様の第１０の可能な実装方式において、空間フロー情報は、空間フロー割り当てテーブルにおける指標を含み、これにより、局は、空間フロー割り当てテーブルにおける指標に従って、局に一意に対応する空間フロー割り当て方式及び空間フローシーケンス番号について、空間フロー割り当てテーブルをサーチし、
空間フローシーケンス番号は、ＬＴＦのシーケンス番号、又はＰ行列における空間フローに対応する行列の行番号、又はＭＵ−ＭＩＭＯにおける空間フローのシーケンス番号である。
【００１７】
第１の態様の第１０の可能な実装方式に関連して、第１の態様の第１１の可能な実装方式において、空間フロー割り当てテーブルは、異なる数の空間フローの割り当て方式及び対応する指標を含む。
【００１８】
第１の態様の第１１の可能な実装方式に関連して、第１の態様の第１２の可能な実装方式において、
異なる数の空間フローの割り当て方式及び対応する指標は、
指標０から７が、単一のフローの８つの異なる割り当て方式にそれぞれ対応し、
指標８から１１が、２つの空間フローの４つの異なる割り当て方式にそれぞれ対応し、２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含み、
指標１２及び１３が、３つの空間フローの２つの異なる割り当て方式にそれぞれ対応し、３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含み、
指標１４及び１５が、４つの空間フローの２つの異なる割り当て方式にそれぞれ対応し、４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含み、
指標１６は、５つの空間フローの１つの割り当て方式に対応し、５つの空間フローの割り当て方式は、空間フローシーケンス番号が第１、第２、第３、第４、及び第５である空間フローの割り当て方式を含み、
指標１７は、６つの空間フローの１つの割り当て方式に対応し、６つの空間フローの割り当て方式は、空間フローシーケンス番号が第１、第２、第３、第４、第５、及び第６である空間フローの割り当て方式を含み、
指標１８は、７つの空間フローの１つの割り当て方式に対応し、７つの空間フローの割り当て方式は、空間フローシーケンス番号が第１、第２、第３、第４、第５、第６、及び第７である空間フローの割り当て方式を含み、
指標１９は、８つの空間フローの１つの割り当て方式に対応し、８つの空間フローの割り当て方式は、空間フローシーケンス番号が第１、第２、第３、第４、第５、第６、第７、及び第８である空間フローの割り当て方式を含む
ことを含む。
【００１９】
第１の態様に関連して、第１の態様の第１３の可能な実装方式において、
空間フロー情報は、ビットマップを含み、ビットマップは、対応する局に割り当てられた空間フロー割り当て方式及び空間フローシーケンス番号を示すために用いられ、
空間フローシーケンス番号は、ＬＴＦのシーケンス番号、又はＰ行列における空間フローに対応する行列の行番号、又はＭＵ−ＭＩＭＯにおける空間フローのシーケンス番号である。
【００２０】
第１の態様に関連して、第１の態様の第１４の可能な実装方式において、サブリソース指示情報は、対応する局のＭＣＳ情報、ＳＴＢＣを用いるか否かについての指示情報、ＬＤＰＣを用いるか否かについての指示情報、及びビーム形成を用いるか否かについての指示情報をさらに含む。
【００２１】
第１の態様に関連して、第１の態様の第１５の可能な実装方式において、方法は、
アクセスポイントによって、リソース指示情報におけるサブリソース指示情報の各々を別個にチェック及びコーディングする段階
をさらに含む。
【００２２】
第１の態様、又は第１の態様の第１４もしくは第１５の可能な実装方式に関連して、第１の態様の第１６の可能な実装方式において、サブリソース指示情報は、対応する局の識別子をさらに含む。
【００２３】
第１の態様の第１６の可能な実装方式に関連して、第１の態様の第１７の可能な実装方式において、対応する局の識別子は、対応する局のＡＩＤ又は局のＰＡＩＤである。
【００２４】
第１の態様に関連して、第１の態様の第１８の可能な実装方式において、
アクセスポイントによって、複数の局に、リソース指示情報を保持するフレームを送信する段階は、
アクセスポイントによって、複数の局に、リソース指示情報を保持するＰＰＤＵを送信する段階
を含む、又は、
アクセスポイントによって、複数の局グループに、リソース指示情報を保持するフレームを送信する段階は、
アクセスポイントによって、複数の局グループに、リソース指示情報を保持するＰＰＤＵを送信する段階であって、リソース指示情報は、ＰＰＤＵにおけるＰＬＣＰヘッダフィールドのＨＥ−ＳＩＧＢ部分又はＰＰＤＵのＭＡＣ部分に保持され、ＰＰＤＵは、トリガフレーム又はアップリンク／ダウンリンクデータを伝送するデータフレームである、段階
を含む。
【００２５】
第１の態様の第１８の可能な実装方式に関連して、第１の態様の第１９の可能な実装方式において、ＰＰＤＵにおけるＨＥ−ＳＩＧＢ部分の共通部分は、複数の局を示すために用いられる直交周波数分割多重アクセスＯＦＤＭＡ局のグループ識別子をさらに含む。
【００２６】
第１の態様の第１９の可能な実装方式に関連して、第１の態様の第２０の可能な実装方式において、アクセスポイントがＰＰＤＵを複数の局に送信する前に、方法は、
アクセスポイントによって、管理フレームを複数の局に送信する段階であって、管理フレームは、対応する局が属する複数の局のＯＦＤＭＡ局グループ識別子及び複数の局における各局の位置情報を示すために用いられる、段階
をさらに含む。
【００２７】
本発明の実施形態の第２の態様は、ＷＬＡＮシステムのリソース指示方法を提供する。方法は、
アクセスポイントによって送信された、リソース指示情報を保持するフレームを、局によって受信する段階であって、リソース指示情報は、サブリソース指示情報を複数含む、段階と、
局によって、サブリソース指示情報を予め設定された順序で連続的に読み出し、サブリソース指示情報の読み出しによって、局に対応するサブリソース指示情報が取得された後で、読み出しを停止する段階であって、サブリソース指示情報は、対応する局の周波数ドメインリソース割り当て情報及び／又は空間フロー情報を含む、段階と、
を含む。
【００２８】
本発明の実施形態の第３の態様は、ＷＬＡＮシステムのリソース指示装置を提供する。装置は、
リソース指示情報を保持するフレームを生成するように構成される生成モジュールと、
複数の局に、リソース指示情報を保持するフレームを送信するように構成される送信モジュールであって、リソース指示情報は、サブリソース指示情報を複数含み、これに対応して、サブリソース指示情報の各々は、複数の局の１つに一意に対応し、サブリソース指示情報は、対応する局の周波数ドメインリソース割り当て情報及び／又は空間フロー情報を含む、送信モジュール、又は、
複数の局グループに、リソース指示情報を保持するフレームを送信するように構成される送信モジュールであって、リソース指示情報は、サブリソース指示情報を複数含み、これに対応して、サブリソース指示情報の各々は、複数の局グループの１つに一意に対応し、サブリソース指示情報は、対応する局グループの周波数ドメインリソース割り当て情報及び／又は空間フロー情報を含む、送信モジュールと、
を含む。
【００２９】
本発明の実施形態の第４の態様は、ＷＬＡＮシステムのリソース指示装置を提供する。装置は、
アクセスポイントによって送信された、リソース指示情報を保持するフレームを受信するように構成される受信モジュールであって、リソース指示情報は、サブリソース指示情報を複数含む、受信モジュールと、
サブリソース指示情報を予め設定された順序で連続的に読み出し、サブリソース指示情報の読み出しによって、局に対応するサブリソース指示情報が取得された後で、読み出しを停止するように構成される読み出しモジュールと、
を含み、
サブリソース指示情報は、対応する局の周波数ドメインリソース割り当て情報及び／又は空間フロー情報を含む。
【００３０】
本発明の実施形態において提供されるＷＬＡＮシステムのリソース指示方法及び装置によれば、アクセスポイントによって複数の局又は複数の局グループに送信されるリソース指示情報は、サブリソース指示情報を複数含み、サブリソース指示情報の各々は、１つの局又は１つの局グループに一意に対応する。このように、リソース指示情報を受信した後で、局又は局グループは、サブリソース指示情報のみを読み出す必要があり、局又は局グループのサブリソース指示情報が取得された場合には、全リソース指示情報を読み出す必要なく、読み出しを停止してよい。これにより、リソースオーバヘッドが大幅に減少し、効率をも改善し得る。
【図面の簡単な説明】
【００３１】
本発明の実施形態における技術的解決手段をより明確に説明すべく、以下、実施形態又は従来技術の説明に必要な添付図面を簡潔に説明する。以下の説明における添付図面は、本発明のいくつかの実施形態を示し、当業者であれば、これらの添付図面から、創造的努力なく、他の図面をさらに導出し得ることは明らかである。
【００３２】
【図１】本発明において提供されるＷＬＡＮシステムの実施形態１の模式的構造図である。
【００３３】
【図２】本発明において提供されるＷＬＡＮシステムのリソース指示方法の実施形態１の模式的フローチャートである。
【００３４】
【図３】本発明において提供されるＷＬＡＮシステムのリソース指示方法における周波数ドメインリソース分割の模式図である。
【００３５】
【図４】本発明において提供されるＷＬＡＮシステムのリソース指示方法における周波数ドメインリソース分割の他の模式図である。
【００３６】
【図４ａ】本発明において提供されるＷＬＡＮシステムのリソース指示方法における周波数ドメインリソース割り当て情報の他の模式図である。
【００３７】
【図４ｂ】本発明において提供されるＷＬＡＮシステムのリソース指示方法における周波数ドメインリソース割り当て情報の他の模式図である。
【００３８】
【図５】本発明において提供されるＷＬＡＮシステムのリソース指示方法におけるサブリソース指示情報の模式的構造図である。
【００３９】
【図６】本発明において提供されるＷＬＡＮシステムのリソース指示方法におけるＰＰＤＵの部分的模式構造図である。
【００４０】
【図７】本発明において提供されるＷＬＡＮシステムのリソース指示方法における他のＰＰＤＵの部分的模式構造図である。
【００４１】
【図８】本発明において提供されるＷＬＡＮシステムのリソース指示方法の実施形態２の模式的フローチャートである。
【００４２】
【図９】本発明において提供されるＷＬＡＮシステムのリソース指示装置の実施形態１の模式的構造図である。
【００４３】
【図１０】本発明において提供されるＷＬＡＮシステムのリソース指示装置の実施形態２の模式的構造図である。
【００４４】
【図１１】本発明において提供されるＷＬＡＮシステムのリソース指示装置の実施形態３の模式的構造図である。
【００４５】
【図１２】本発明において提供されるＷＬＡＮシステムのリソース指示装置の実施形態４の模式的構造図である。
【００４６】
【図１３】本発明において提供されるＷＬＡＮシステムのリソース指示装置の実施形態５の模式的構造図である。
【００４７】
【図１４】本発明において提供されるＷＬＡＮシステムのリソース指示装置の実施形態６の模式的構造図である。
【００４８】
【図１５】本発明において提供されるＷＬＡＮシステムのリソース指示装置の実施形態７の模式的構造図である。
【００４９】
【図１６】本発明において提供されるＷＬＡＮシステムのリソース指示装置の実施形態８の模式的構造図である。
【発明を実施するための形態】
【００５０】
本発明の実施形態の目的、技術的解決手段、及び利点をより明確にするために、以下、本発明の実施形態における技術的解決手段を、本発明の実施形態における添付図面に関連して、明確に説明する。説明される実施形態は、本発明の実施形態の一部であって全てではないことは明らかである。本発明の実施形態に基づいて、当業者によって創造的努力なく取得される全ての他の実施形態は、本発明の保護範囲に属するものとする。
【００５１】
本発明の実施形態は、ＷＬＡＮに適用可能である。現在、ＷＬＡＮにおいて用いられている規格は、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、略してＩＥＥＥ）８０２．１１シリーズである。ＷＬＡＮは、複数の基本サービスセット（Ｂａｓｉｃ  Ｓｅｒｖｉｃｅ  Ｓｅｔ、略してＢＳＳ）を含んでよい。基本サービスセットにおけるネットワークノードは、ＳＴＡである。局は、アクセスポイントタイプの局（Ａｃｃｅｓｓ  Ｐｏｉｎｔ、略してＡＰ）及びアクセスポイントタイプ以外の局（Ｎｏｎｅ  Ａｃｃｅｓｓ  Ｐｏｉｎｔ  Ｓｔａｔｉｏｎ、略してＮｏｎ−ＡＰ  ＳＴＡ）を含む。各基本サービスセットは、１つのＡＰと、当該ＡＰに関連付けられた複数のＮｏｎ−ＡＰ  ＳＴＡとを含んでよい。
【００５２】
アクセスポイントタイプの局は、無線アクセスポイント、ホットスポット等とも称される。ＡＰは、有線ネットワークにアクセスするために、モバイルユーザによって用いられるアクセスポイントであり、主に、家庭、建物内、又は学校構内に配置される。典型的なカバレッジ直径は、数十メートルから数百メートルの範囲である。当然のこととして、ＡＰは、屋外に配置されてもよい。ＡＰは、有線ネットワークと無線ネットワークとを接続するブリッジに等しい。ＡＰの主な機能は、無線ネットワークのクライアントを接続し、次に、無線ネットワークをＥｔｈｅｒｎｅｔ（登録商標）に接続することである。具体的には、ＡＰは、ワイヤレスフィデリティ（Ｗｉｒｅｌｅｓｓ  Ｆｉｄｅｌｉｔｙ、略してＷｉＦｉ）チップを有する端末デバイス又はネットワークデバイスであってよい。任意選択的に、ＡＰは、８０２．１１ａｘ規格をサポートするデバイスであってよい。さらに、任意選択的に、ＡＰは、８０２．１１ａｃ、８０２．１１ｎ、８０２．１１ｇ、８０２．１１ｂ、及び８０２．１１ａのような複数のＷＬＡＮ規格をサポートするデバイスであってよい。
【００５３】
前述のＮｏｎ−ＡＰ  ＳＴＡは、無線通信チップ、無線センサ、又は無線通信端末であってよい。例えば、ＷｉＦｉ通信機能をサポートする携帯電話、ＷｉＦｉ通信機能をサポートするタブレットコンピュータ、ＷｉＦｉ通信機能をサポートするセットトップボックス、ＷｉＦｉ通信機能をサポートするスマートテレビ、ＷｉＦｉ通信機能をサポートするスマートウェアラブルデバイス、ＷｉＦｉ通信機能をサポートする車載型通信デバイス、又はＷｉＦｉ通信機能をサポートするコンピュータであってよい。任意選択的に、局は、８０２．１１ａｘ規格をサポートしてよい。さらに、任意選択的に、局は、８０２．１１ａｃ、８０２．１１ｎ、８０２．１１ｇ、８０２．１１ｂ、及び８０２．１１ａのような複数のＷＬＡＮ規格をサポートする。
【００５４】
図１は、本発明において提供されるＷＬＡＮシステムの実施形態１の模式的構造図である。図１に示されるように、ＷＬＡＮシステムにおける１つのＡＰは、ＳＴＡ１、ＳＴＡ２、及びＳＴＡ３を含む複数のＳＴＡ（例として、３つのＳＴＡを用いる）と情報を交換してよい。当然のこととして、本発明は、これに限定されるものではない。１つのＡＰは、複数のＳＴＡグループと情報を交換してもよい。
【００５５】
ＯＦＤＭＡ技術が導入されるＷＬＡＮシステム８０２．１１ａｘにおいて、ＡＰは、異なる時間周波数リソースにおいて、異なるＳＴＡに対して、アップリンク及びダウンリンク伝送を実行してよい。ＡＰは、異なるモード、例えば、ＯＦＤＭＡシングルユーザ多入力多出力（ＳＵ−ＭＩＭＯ）モード又はＯＦＤＭＡマルチユーザ多入力多出力（ＭＵ−ＭＩＭＯ）モードを用いることによって、アップリンク及びダウンリンク伝送を実行してよい。
【００５６】
ＡＰは、ダウンリンク物理層プロトコルデータユニット（Ｐｈｙｓｉｃａｌ  Ｌａｙｅｒ  Ｐｒｏｔｏｃｏｌ  Ｄａｔａ  Ｕｎｉｔ、略してＰＰＤＵ）を、複数の局又は複数の局グループに同時に送信してよい。本明細書における複数の局は、ＳＵ−ＭＩＭＯモードにおける局を指してよく、本明細書における複数の局グループは、ＭＵ−ＭＩＭＯモードにおける局グループを指してよい。
【００５７】
具体的には、ＡＰによって送信されるＰＰＤＵは、物理層収束プロトコル（ＰＬＣＰ）ヘッダフィールド（Ｈｅａｄｅｒ）及びデータフィールドを含む。ＰＬＣＰヘッダは、プリアンブル（Ｌ−プリアンブル）及び制御フィールドを含む。制御フィールドは、高効率シグナリングＡ（Ｈｉｇｈ  Ｅｆｆｉｃｉｅｎｔ  ｓｉｇｎａｌｉｎｇ  Ａ、略してＨＥ−ＳＩＧＡ）部分及び高効率シグナリングＢ（Ｈｉｇｈ  Ｅｆｆｉｃｉｅｎｔ  ｓｉｇｎａｌｉｎｇ  Ｂ、略してＨＥ−ＳＩＧＢ）部分を含む。ＰＰＤＵは、メディアアクセス制御（ＭＡＣ）部分をさらに含んでよい。
【００５８】
図２は、本発明において提供されるＷＬＡＮシステムのリソース指示方法の実施形態１の模式的フローチャートである。図２に示されるように、方法は、以下の段階を含む。
【００５９】
Ｓ２０１：ＡＰは、リソース指示情報を保持するフレームを生成する。
【００６０】
図１を参照すると、ＡＰは、複数の局に対応する、又は複数の局グループに対応する。異なる構造において、ＡＰがリソース指示情報を保持するフレームを送信する対象は、異なる。ＡＰが複数の局に対応する場合、
【００６１】
Ｓ２０２：ＡＰは、複数の局に、リソース指示情報を保持するフレームを送信する。リソース指示情報は、サブリソース指示情報を複数含む。サブリソース指示情報の各々は、複数の局の１つに一意に対応する。
【００６２】
サブリソース指示情報は、対応する局の周波数ドメインリソース割り当て情報及び／又は空間フロー情報を含む。
【００６３】
すなわち、サブリソース指示情報の各々は、一意に対応する局の周波数ドメインリソース指示情報のみを含む。
【００６４】
ＡＰが複数の局グループに対応する構造において、前述のＳ２０２は、以下によって置換されてよい。すなわち、ＡＰは、複数の局グループに、リソース指示情報を保持するフレームを送信する。リソース指示情報は、サブリソース指示情報を複数含む。サブリソース指示情報の各々は、複数の局グループの１つに一意に対応する。サブリソース指示情報は、対応する局グループの周波数ドメインリソース割り当て情報及び／又は空間フロー情報を含む。  すなわち、サブリソース指示情報の各々は、一意に対応する局グループの周波数ドメインリソース指示情報のみを含む。
【００６５】
本実施形態において、アクセスポイントによって複数の局又は複数の局グループに送信されるリソース指示情報は、サブリソース指示情報を複数含む。サブリソース指示情報の各々は、１つの局又は１つの局グループに一意に対応する。このように、リソース指示情報を受信した後で、局又は局グループは、サブリソース指示情報のみを読み出す必要があり、局又は局グループのサブリソース指示情報が取得された場合には、全リソース指示情報を読み出す必要なく、読み出しを停止してよい。これにより、リソースオーバヘッドが大幅に減少し、効率も改善し得る。
【００６６】
前述の実施形態に基づいて、前述のサブリソース指示情報における周波数ドメインリソース割り当て情報は、周波数ドメインリソース割り当てテーブルにおける指標を含む。局のサブリソース指示情報を取得した後で、局は、周波数ドメインリソース割り当てテーブルにおける指標に従って、局に一意に対応する周波数ドメインリソース単位のサイズ及び位置について、周波数ドメインリソース割り当てテーブルをサーチしてよい。同様に、対応する局グループのサブリソース指示情報を取得した後で、局グループは、周波数ドメインリソース割り当てテーブルにおける指標に従って、局グループに一意に対応する周波数ドメインリソース単位のサイズ及び位置について、周波数ドメインリソース割り当てテーブルをサーチしてよい。
【００６７】
具体的には、周波数ドメインリソース割り当てテーブルは、複数の異なるサイズの周波数ドメインリソース単位、各サイズの周波数ドメインリソース単位に対応するリソース割り当て方式の数、各サイズの周波数ドメインリソース単位を用いることによって実行される分割の後で取得される、全周波数ドメインリソースにおける各サブ周波数ドメインリソースの位置、及び周波数ドメインリソース割り当てテーブルにおける指標を含んでよい。分割の後で取得されるサブ周波数ドメインリソースは、リソース単位（Ｒｅｓｏｕｒｃｅ  Ｕｎｉｔ、略してＲＵ）と示される。具体的な実装プロセスにおいて、周波数ドメインリソース割り当てテーブルは、各局において予め設定されてよい。
【００６８】
異なるサイズの周波数ドメインリソース単位を用いることによって実行される分割の後で取得されるサブ周波数ドメインリソースが付番される場合、指標は再利用されないことに留意されたい。
【００６９】
さらに、周波数ドメインリソース割り当てテーブルは、ＷＬＡＮシステムの異なる帯域幅に従って、異なる。ＷＬＡＮシステムの帯域幅は、２０ＭＨｚ、４０ＭＨｚ、８０ＭＨｚ、及び（８０＋８０）ＭＨｚを含む。現在、２５６点の高速フーリエ変換（Ｆａｓｔ  Ｆｏｕｒｉｅｒ  Ｔｒａｎｓｆｏｒｍａｔｉｏｎ、ＦＦＴ）処理方式が２０ＭＨｚ帯域幅において用いられ、これに対応して、２０ＭＨｚ帯域幅は、２５６のトーンを含む。
【００７０】
ＷＬＡＮシステムの帯域幅が２０メガヘルツ（ＭＨｚ）である場合の周波数ドメインリソース割り当てテーブルは、表１に示される。
【表１】
2020022200.tif 000003
【００７１】
周波数ドメインリソース割り当てテーブルにおける周波数ドメインリソース単位のサイズは、２６のトーン、５２のトーン、及び１０６のトーン、又は、２６のトーン、５２のトーン、及び１０７のトーン、又は、２６のトーン、５２のトーン、及び１０８のトーンを含んでよいことが理解されよう。
【００７２】
周波数ドメインリソース単位のサイズが２６のトーンである場合、９つのリソース割り当て方式が含まれる。周波数ドメインリソース単位のサイズが５２のトーンである場合、４つのリソース割り当て方式が含まれる。周波数ドメインリソース単位のサイズが１０６のトーン、１０７のトーン、又は１０８のトーンである場合、２つのリソース割り当て方式が含まれる。
【００７３】
すなわち、ＷＬＡＮシステムの帯域幅が２０ＭＨｚである場合、周波数ドメインリソース単位のサイズは、２６のトーンであり、９つのユニット（ＲＵ）の合計は、分割の後で取得されてよい。従って、９つのリソース割り当ての可能性が存在する。他の場合は、列挙されない。
【００７４】
ＷＬＡＮシステムの帯域幅が２０ＭＨｚである場合の周波数ドメインリソース割り当てテーブルが、表２にさらに示され得る。
【表２】
2020022200.tif 000004
【００７５】
表１における割り当て方式と比較すると、２４２のトーンの周波数ドメインリソース単位が追加されている。
【００７６】
すなわち、周波数ドメインリソース割り当てテーブルにおける周波数ドメインリソース単位のサイズは、２６のトーン、５２のトーン、１０６のトーン、及び２４２のトーン、又は、２６のトーン、５２のトーン、１０７のトーン、及び２４２のトーン、又は、２６のトーン、５２のトーン、１０８のトーン、及び２４２のトーンを含む。
【００７７】
周波数ドメインリソース単位のサイズが２６のトーンである場合、９つのリソース割り当て方式が含まれる。周波数ドメインリソース単位のサイズが５２のトーンである場合、４つのリソース割り当て方式が含まれる。周波数ドメインリソース単位のサイズが１０６のトーン、１０７のトーン、又は１０８のトーンである場合、２つのリソース割り当て方式が含まれる。周波数ドメインリソース単位のサイズが２４２のトーンである場合、１つのリソース割り当て方式が含まれる。
【００７８】
ＷＬＡＮシステムの帯域幅が２０ＭＨｚである場合、４ビット（ｂｉｔ）が、周波数ドメインリソース割り当てテーブルにおける指標を表すために用いられてよい。例えば、「００００」は指標０を表し、「０００１」は指標１を表す。
【００７９】
ＷＬＡＮシステムの帯域幅が４０ＭＨｚである場合の周波数ドメインリソース割り当てテーブルが、表３に示され得る。
【表３】
2020022200.tif 000005
【００８０】
すなわち、周波数ドメインリソース割り当てテーブルにおける周波数ドメインリソース単位のサイズは、２６のトーン、５２のトーン、１０６のトーン、及び２４２のトーン、又は、２６のトーン、５２のトーン、１０７のトーン、及び２４２のトーン、又は、２６のトーン、５２のトーン、１０８のトーン、及び２４２のトーンを含む。
【００８１】
周波数ドメインリソース単位のサイズが２６のトーンである場合、１８のリソース割り当て方式が含まれる。周波数ドメインリソース単位のサイズが５２のトーンである場合、８つのリソース割り当て方式が含まれる。周波数ドメインリソース単位のサイズが１０６のトーン、１０７のトーン、又は１０８のトーンである場合、４つのリソース割り当て方式が含まれる。周波数ドメインリソース単位のサイズが２４２のトーンである場合、２つのリソース割り当て方式が含まれる。
【００８２】
この場合、５ビットが、周波数ドメインリソース割り当てテーブルにおける指標を表すために用いられてよい。例えば、「０００００」は指標０を表し、「００００１」は指標１を表す。
【００８３】
ＷＬＡＮシステムの帯域幅が４０ＭＨｚである場合の周波数ドメインリソース割り当てテーブルが、表４にさらに示され得る。
【表４】
2020022200.tif 000006
【００８４】
すなわち、周波数ドメインリソース割り当てテーブルにおける周波数ドメインリソース単位のサイズは、２６のトーン、５２のトーン、１０６のトーン、２４２のトーン、及び４８４のトーン、又は、２６のトーン、５２のトーン、１０７のトーン、２４２のトーン、及び４８４のトーン、又は、２６のトーン、５２のトーン、１０８のトーン、２４２のトーン、及び４８４のトーンを含む。
【００８５】
これに対応して、周波数ドメインリソース単位のサイズが２６のトーンである場合、１８のリソース割り当て方式が含まれる。周波数ドメインリソース単位のサイズが５２のトーンである場合、８つのリソース割り当て方式が含まれる。周波数ドメインリソース単位のサイズが１０６のトーン、１０７のトーン、又は１０８のトーンである場合、４つのリソース割り当て方式が含まれる。周波数ドメインリソース単位のサイズが２４２のトーンである場合、２つのリソース割り当て方式が含まれる。周波数ドメインリソース単位のサイズが４８４のトーンである場合、１つのリソース割り当て方式が含まれる。
【００８６】
この場合、６ビットが、周波数ドメインリソース割り当てテーブルにおける指標を表すために用いられてよい。
【００８７】
ＷＬＡＮシステムの帯域幅が８０ＭＨｚである場合の周波数ドメインリソース割り当てテーブルが、表５に示され得る。
【表５】
2020022200.tif 000007
【００８８】
すなわち、周波数ドメインリソース割り当てテーブルにおける周波数ドメインリソース単位のサイズは、２６のトーン、５２のトーン、１０６のトーン、２４２のトーン、及び４８４のトーン、又は、２６のトーン、５２のトーン、１０７のトーン、２４２のトーン、及び４８４のトーン、又は、２６のトーン、５２のトーン、１０８のトーン、２４２のトーン、及び４８４のトーンを含む。
【００８９】
これに対応して、周波数ドメインリソース単位のサイズが２６のトーンである場合、３７のリソース割り当て方式が含まれる。周波数ドメインリソース単位のサイズが５２のトーンである場合、１６のリソース割り当て方式が含まれる。周波数ドメインリソース単位のサイズが１０６のトーン、１０７のトーン、又は１０８のトーンである場合、８つのリソース割り当て方式が含まれる。周波数ドメインリソース単位のサイズが２４２のトーンである場合、４つのリソース割り当て方式が含まれる。周波数ドメインリソース単位のサイズが４８４のトーンである場合、２つのリソース割り当て方式が含まれる。
【００９０】
この場合、７ビットが、周波数ドメインリソース割り当てテーブルにおける指標を表すために用いられてよい。
【００９１】
図３を参照すると、例えば、ＷＬＡＮシステムの帯域幅は、８０ＭＨｚである。図３において、５つの分割方式が含まれる。各行は、１つの分割方式を表す。第１の行は、２６のトーンの周波数ドメインリソース単位を用いることによって実行される分割を表す。各白格子は、２６のトーンを含む１つのＲＵを表し、合計で３７の白格子が存在する。第２の行は、５２のトーンの周波数ドメインリソース単位を用いることによって実行される分割を表す。各白格子は、５２のトーンを含む１つのＲＵを表し、合計で１６の白格子が存在する。影付き格子は、残存リソースが、２６のトーンの周波数ドメインリソース単位を用いることによって分割され、２６のトーンを含む５つのＲＵが含まれることを示す。第３の行は、１０６（又は１０７、又は１０８）のトーンの周波数ドメインリソース単位を用いることによって実行される分割を表す。各白格子は、１０６（又は１０７、又は１０８）のトーンを含む１つのＲＵを表し、合計で８つの白格子が存在する。影付き格子は、残存リソースが、２６のトーンの周波数ドメインリソース単位を用いることによって分割され、２６のトーンを含む５つのＲＵが含まれることを示す。第４の行は、２４２のトーンの周波数ドメインリソース単位を用いることによって実行される分割を表す。各白格子は、２４２のトーンを含む１つのＲＵを表し、合計で４つの白格子が存在する。影付き格子は、残存リソースが、２６のトーンの周波数ドメインリソース単位を用いることによって分割され、２６のトーンを含む１つのＲＵが含まれることを示す。第５の行は、４８４のトーンの周波数ドメインリソース単位を用いることによって実行される分割を表す。各白格子は、４８４のトーンを含む１つのＲＵを表し、合計で２つの白格子が存在する。影付き格子は、残存リソースが、２６のトーンの周波数ドメインリソース単位を用いることによって分割され、２６のトーンを含む１つのＲＵが含まれることを示す。
【００９２】
周波数ドメインリソース割り当てテーブルにおいて、各指標に対応する周波数ドメインリソース位置は、固定かつ一意である。表５及び図３は、例として用いられ、表５のシーケンス番号０は、図３の第１の行における第１の白格子、すなわち、２６のトーンの第１のＲＵを特定する。
【００９３】
ＷＬＡＮシステムの帯域幅が８０ＭＨｚである場合の周波数ドメインリソース割り当てテーブルが、表６にさらに示され得る。
【表６】
2020022200.tif 000008
【００９４】
すなわち、周波数ドメインリソース割り当てテーブルにおける周波数ドメインリソース単位のサイズは、２６のトーン、５２のトーン、１０６のトーン、２４２のトーン、４８４のトーン、及び９９６のトーン、又は、２６のトーン、５２のトーン、１０７のトーン、２４２のトーン、４８４のトーン、及び９９６のトーン、又は、２６のトーン、５２のトーン、１０８のトーン、２４２のトーン、４８４のトーン、及び９９６のトーンを含む。
【００９５】
周波数ドメインリソース単位のサイズが２６のトーンである場合、３７のリソース割り当て方式が含まれる。周波数ドメインリソース単位のサイズが５２のトーンである場合、１６のリソース割り当て方式が含まれる。周波数ドメインリソース単位のサイズが１０６のトーン、１０７のトーン、又は１０８のトーンである場合、８つのリソース割り当て方式が含まれる。周波数ドメインリソース単位のサイズが２４２のトーンである場合、４つのリソース割り当て方式が含まれる。周波数ドメインリソース単位のサイズが４８４のトーンである場合、２つのリソース割り当て方式が含まれる。周波数ドメインリソース単位のサイズが９９６のトーンである場合、１つのリソース割り当て方式が含まれる。
【００９６】
この場合、７ビットが、周波数ドメインリソース割り当てテーブルにおける指標を表すために用いられてよい。
【００９７】
前述の実施形態に基づいて、ＷＬＡＮシステムの帯域幅が８０ＭＨｚである場合、リソース指示情報を伝送するためのオーバヘッドをさらに減少させるために、２６のトーンは、リソース分割のための周波数ドメインリソース単位として別個に用いられなくてよい。図４を参照すると、図３に基づいて、図３における第１の行の元の分割方式は、図４に存在せず、残存リソースが２６のトーンの周波数ドメインリソース単位を用いることによって分割される他の分割方式が確保される。
【００９８】
これに対応して、ＷＬＡＮシステムの帯域幅が８０ＭＨｚである場合の周波数ドメインリソース割り当てテーブルが、表７にさらに示され得る。
【表７】
2020022200.tif 000009
【００９９】
すなわち、周波数ドメインリソース割り当てテーブルにおける周波数ドメインリソース単位のサイズは、２６のトーン、５２のトーン、１０６のトーン、２４２のトーン、及び４８４のトーン、又は、２６のトーン、５２のトーン、１０７のトーン、２４２のトーン、及び４８４のトーン、又は、２６のトーン、５２のトーン、１０８のトーン、２４２のトーン、及び４８４のトーンを含む。
【０１００】
周波数ドメインリソース単位のサイズが２６のトーンである場合、５つのリソース割り当て方式が含まれる。この場合、周波数ドメインリソース単位のサイズが２６のトーンである周波数ドメインリソースは、他の周波数ドメインリソース単位を用いることによって実行される分割の後で取得される残存周波数ドメインリソースであることに留意されたい。図４に示されるように、図４の４つの分割方式において、斜線部は、２６のトーンの周波数ドメインリソース単位を用いることによって残存リソースを分割することによって取得された結果である。４つの分割方式において、２６のトーンを含む最大で５つのＲＵが含まれる。図４を参照すると、概して、これら残存リソースは、他の周波数ドメインリソースの間に挟まれるが、本発明は、これに限定されるものではない。
【０１０１】
周波数ドメインリソース単位のサイズが５２のトーンである場合、１６のリソース割り当て方式が含まれる。周波数ドメインリソース単位のサイズが１０６のトーン、１０７のトーン、又は１０８のトーンである場合、８つのリソース割り当て方式が含まれる。周波数ドメインリソース単位のサイズが２４２のトーンである場合、４つのリソース割り当て方式が含まれる。周波数ドメインリソース単位のサイズが４８４のトーンである場合、２つのリソース割り当て方式が含まれる。
【０１０２】
この場合、６ビットが、周波数ドメインリソース割り当てテーブルにおける指標を表すために用いられてよい。これにより、７ビットが用いられる前述された８０ＭＨｚ帯域幅のリソース割り当て方式と比較すると、より多くのオーバヘッドが省かれる。
【０１０３】
表７と同様に、ＷＬＡＮシステムの帯域幅が８０ＭＨｚである場合の周波数ドメインリソース割り当てテーブルが、表８にさらに示され得る。
【表８】
2020022200.tif 000010
【０１０４】
周波数ドメインリソース割り当てテーブルにおける周波数ドメインリソース単位のサイズは、２６のトーン、５２のトーン、１０６のトーン、２４２のトーン、４８４のトーン、及び９９６のトーン、又は、２６のトーン、５２のトーン、１０７のトーン、２４２のトーン、４８４のトーン、及び９９６のトーン、又は、２６のトーン、５２のトーン、１０８のトーン、２４２のトーン、４８４のトーン、及び９９６のトーンを含む。
【０１０５】
周波数ドメインリソース単位のサイズが２６のトーンである場合、５つのリソース割り当て方式が含まれる。この場合、周波数ドメインリソース単位のサイズが２６のトーンである周波数ドメインリソースは、他の周波数ドメインリソース単位を用いることによって実行される分割の後で取得される残存周波数ドメインリソースであることに留意されたい。図４に示されるように、図４の４つの分割方式において、斜線部は、２６のトーンの周波数ドメインリソース単位を用いることによって残存リソースを分割することによって取得された結果である。４つの分割方式において、２６のトーンを含む最大で５つのＲＵが含まれる。図４を参照すると、概して、これら残存リソースは、他の周波数ドメインリソースの間に挟まれるが、本発明は、これに限定されるものではない。
【０１０６】
周波数ドメインリソース単位のサイズが５２のトーンである場合、１６のリソース割り当て方式が含まれる。周波数ドメインリソース単位のサイズが１０６のトーン、１０７のトーン、又は１０８のトーンである場合、８つのリソース割り当て方式が含まれる。周波数ドメインリソース単位のサイズが２４２のトーンである場合、４つのリソース割り当て方式が含まれる。周波数ドメインリソース単位のサイズが４８４のトーンである場合、２つのリソース割り当て方式が含まれる。周波数ドメインリソース単位のサイズが９９６のトーンである場合、１つのリソース割り当て方式が含まれる。
【０１０７】
これらの前述された周波数ドメインリソース割り当てテーブルにおいて、各指標に対応する周波数ドメインリソース位置は、固定かつ一意である。表７及び図４は、例として用いられ、表７のシーケンス番号５は、図４の第１の行における第１の白格子、すなわち、５２のトーンの第１のＲＵを特定する。
【０１０８】
本発明は、他の実施形態をさらに含むことに留意されたい。同じ周波数ドメインリソース割り当て指標のテーブルが、異なる帯域幅のＷＬＡＮシステムにおいて用いられる。ＷＬＡＮシステムの帯域幅は、２０ＭＨｚ、４０ＭＨｚ、８０ＭＨｚ、及び１６０ＭＨｚ又は（８０＋８０）ＭＨｚを含む。現在、２５６点の高速フーリエ変換（Ｆａｓｔ  Ｆｏｕｒｉｅｒ  Ｔｒａｎｓｆｏｒｍａｔｉｏｎ、ＦＦＴ）処理方式が２０ＭＨｚ帯域幅において用いられ、これに対応して、２０ＭＨｚ帯域幅は、２５６のトーンを含む。
【０１０９】
本実施形態において、周波数ドメインリソース割り当て指標のテーブルは、８０ＭＨｚ帯域幅を基準として用い、８０ＭＨｚ帯域幅は、１０２４のトーンを含む。図３において、８０ＭＨｚ帯域幅に対して、５つの周波数ドメインリソース割り当て方式が含まれる。各行は、１つの割り当て方式を表す。
【０１１０】
第１の行は、２６のトーンの周波数ドメインリソース単位を用いることによって実行される分割を表す。各白格子は、２６のトーンを含む１つのＲＵを表し、合計で３７の白格子が存在する。
【０１１１】
第２の行は、５２のトーンの周波数ドメインリソース単位を用いることによって実行される分割を表す。各白格子は、５２のトーンを含む１つのＲＵを表し、合計で１６の白格子が存在する。影付き格子は、残存リソースが、２６のトーンの周波数ドメインリソース単位を用いることによって分割され、２６のトーンを含む５つのＲＵが含まれることを示す。
【０１１２】
第３の行は、１０６（又は１０７、又は１０８）のトーンの周波数ドメインリソース単位を用いることによって実行される分割を表す。各白格子は、１０６（又は１０７、又は１０８）のトーンを含む１つのＲＵを表し、合計で８つの白格子が存在する。影付き格子は、残存リソースが、２６のトーンの周波数ドメインリソース単位を用いることによって分割され、２６のトーンを含む５つのＲＵが含まれることを示す。
【０１１３】
第４の行は、２４２のトーンの周波数ドメインリソース単位を用いることによって実行される分割を表す。各白格子は、２４２のトーンを含む１つのＲＵを表し、合計で４つの白格子が存在する。影付き格子は、残存リソースが、２６のトーンの周波数ドメインリソース単位を用いることによって分割され、２６のトーンを含む１つのＲＵが含まれることを表す。
【０１１４】
第５の行は、４８４のトーンの周波数ドメインリソース単位を用いることによって実行される分割を表す。各白格子は、４８４のトーンを含む１つのＲＵを表し、合計で２つの白格子が存在する。影付き格子は、残存リソースが、２６のトーンの周波数ドメインリソース単位を用いることによって分割され、２６のトーンを含む１つのＲＵが含まれることを示す。
【０１１５】
１つの周波数ドメインリソース単位は、各ユーザに割り当てられてよい。周波数ドメインリソース単位は、２６トーンのＲＵ、５２トーンのＲＵ、又は１０６（もしくは１０７、もしくは１０８）トーンのＲＵ、２４２トーンのＲＵ、又は４８４トーンのＲＵであってよい。図３から、８０ＭＨｚ帯域幅における周波数ドメインのトーンが２６トーンのＲＵを周波数ドメインリソース単位として用いる場合、３６の選択肢が含まれ、４つの２０ＭＨｚ帯域幅において合計で３６の２６トーンのＲＵが存在する、又は、３７の選択肢が含まれ、４つの２０ＭＨｚ帯域幅に対して合計で３６の２６トーンのＲＵ及び１つの中間２６トーンのＲＵが存在することが認識されよう。
【０１１６】
８０ＭＨｚ帯域幅における周波数ドメインのトーンが５２トーンのＲＵを周波数ドメインリソース単位として用いる場合、１６の選択肢が含まれる。８０ＭＨｚ帯域幅における周波数ドメインのトーンが１０６（又は１０７、又は１０８）トーンのＲＵを周波数ドメインリソース単位として用いる場合、８つの選択肢が含まれる。８０ＭＨｚ帯域幅における周波数ドメインのトーンが２４２トーンのＲＵを周波数ドメインリソース単位として用いる場合、４つの選択肢が含まれる。８０ＭＨｚ帯域幅における周波数ドメインのトーンが４８４トーンのＲＵを周波数ドメインリソース単位として用いる場合、２つの選択肢が含まれる。従って、８０ＭＨｚ帯域幅における周波数ドメインのトーンに対して、６６又は６７の選択肢が含まれ、少なくとも７ビットの指標が、各ユーザに対する周波数ドメインリソース割り当て方式を特定するために必要とされる。
【０１１７】
任意選択的に、ＷＬＡＮシステムの全ての周波数ドメインリソース割り当て方式は、８ビットの指標を用いることによって特定され、８ビットの指標は、２０ＭＨｚ、４０ＭＨｚ、８０ＭＨｚ、及び１６０ＭＨｚ帯域幅に適用可能である。ＷＬＡＮシステムにおいて用いられる最大帯域幅は、１６０ＭＨｚである。少なくとも２つの実装方式が含まれる。
【０１１８】
実装方式１が、図４ａに示される。
【０１１９】
指標の特定のビット（例えば、第１のビット（Ｂ０））は、２つの８０ＭＨｚ帯域幅の間を区別するために用いられ、「０」は、第１の８０ＭＨｚ帯域幅を示し、「１」は、第２の８０ＭＨｚ帯域幅を示す。
【０１２０】
指標の残存７ビット（例えば、（Ｂ１−Ｂ７））は、具体的な周波数ドメインリソース割り当て方式を示す。指標の残存７ビットは、最大で１２８の選択肢を表してよい。従って、指標の残存７ビットが、複数の選択肢に対して、さらに確保される。例えば、８０ＭＨｚ帯域幅における全てのトーンが、ユーザに割り当てられ、又は、１６０ＭＨｚもしくは（８０＋８０）ＭＨｚ帯域幅における全てのトーンが、ユーザに割り当てられる。
【０１２１】
指標の残存７ビットと各ユーザに対する周波数ドメインリソース割り当て方式との間には、複数の対応関係が存在してよいことに留意されたい。特定の限定が、本明細書において課されることはない。表８ａ及び表８ｂは、２つの対応関係を示す。
【表８ａ】
2020022200.tif 000011
【表８ｂ】
2020022200.tif 000012
【０１２２】
実装方式１において、８ビットの指標は、周波数ドメインリソース割り当てを示すために用いられる。第１のビットは、８０ＭＨｚ帯域幅において占有された位置を示すために用いられ、残存７ビットは、具体的な周波数ドメインリソース割り当て方式を示すために用いられる。前述の方式において、異なる帯域幅のＷＬＡＮシステムの周波数ドメインリソース割り当ては、ＷＬＡＮシステムの処理の複雑さを軽減するために、同じ周波数リソース標識方式を用いる。
【０１２３】
実装方式２が、図４ｂに示される。
【０１２４】
８０ＭＨｚ帯域幅に対する周波数ドメインリソース割り当て方式は、１６０ＭＨｚ帯域幅に対して再利用されてよい。従って、１６０ＭＨｚ帯域幅における周波数ドメインのトーンに対して、少なくとも１３２又は１３４の選択肢が含まれ、少なくとも８ビットの指標が、周波数ドメインリソース割り当て方式を特定するために必要とされる。
【０１２５】
具体的には２６トーンのＲＵが周波数ドメインリソース単位として用いられる場合、７２の選択肢が含まれ、８つの２０ＭＨｚ帯域幅に対して合計で７２の２６トーンのＲＵが存在する、又は、７４の選択肢が含まれ、８つの２０ＭＨｚ帯域幅に対して７２の２６トーンのＲＵ及び２つの中間２６トーンのＲＵが存在する。５２トーンのＲＵが周波数ドメインリソース単位として用いられる場合、３２の選択肢が含まれる。１０６トーンのＲＵが周波数ドメインリソース単位として用いられる場合、１６の選択肢が含まれる。２４２トーンのＲＵが周波数ドメインリソース単位として用いられる場合、８つの選択肢が含まれる。４８４トーンのＲＵが周波数ドメインリソース単位として用いられる場合、４つの選択肢が含まれる。
【０１２６】
実装方式２において、ＷＬＡＮシステムの全ての周波数ドメインリソース割り当て方式は、８ビットの指標を用いることによって特定され、８ビットの指標は、２０ＭＨｚ、４０ＭＨｚ、８０ＭＨｚ、及び１６０ＭＨｚ帯域幅に適用可能である。
【０１２７】
指標の８ビット（Ｂ０−Ｂ７）は、周波数ドメインリソースの具体的な位置を示すために用いられる。８ビットの指標は、最大で２５６の選択肢を表す。従って、８ビットの指標は、複数の周波数ドメインリソース割り当て方式に対して、さらに確保される。例えば、８０ＭＨｚ帯域幅における全てのトーンが、ユーザに割り当てられ、又は、１６０ＭＨｚ帯域幅における全てのトーンが、ユーザに割り当てられる。
【０１２８】
指標と各ユーザに対する周波数ドメインリソース割り当て方式との間には、複数の対応関係が存在してよいことに留意されたい。特定の限定が、本明細書において課されることはない。表８ｃ及び表８ｄは、１つの好ましい対応関係を示す。
【表８ｃ】
2020022200.tif 000013
【表８ｄ】
2020022200.tif 000014
【０１２９】
実装方式２において、８ビットの指標は、周波数ドメインリソース割り当てを示すために用いられる。前述の方式において、異なる帯域幅のＷＬＡＮシステムの周波数ドメインリソース割り当ては、ＷＬＡＮシステムの処理の複雑さを軽減するために、同じ周波数リソース標識方式を用いる。
【０１３０】
他の実施形態において、空間フロー情報は、空間フロー割り当てテーブルにおける指標を含む。このように、局のサブリソース指示情報を取得した後で、局は、空間フロー割り当てテーブルにおける指標に従って、局に一意に対応する空間フロー割り当て方式及び空間フローシーケンス番号について、空間フロー割り当てテーブルをサーチしてよい。空間フローシーケンス番号は、ロングトレーニングフィールド（Ｌｏｎｇ  Ｔｒａｉｎｉｎｇ  Ｆｉｅｌｄ、略してＬＴＦ）のシーケンス番号、又はＰ行列（Ｐ  Ｍａｔｒｉｘ）における空間フローに対応する行列の行番号、又はＭＵ−ＭＩＭＯにおける空間フローのシーケンス番号であってよい。
【０１３１】
Ｐ行列における行は、異なる空間フローの間を区別するために用いられ、Ｐ行列における行は、互いに直交することに留意されたい。
【０１３２】
実装プロセスにおいて、空間フロー割り当てテーブルは、概して、局において予め設定されてよい。
【０１３３】
具体的には、空間フロー割り当てテーブルは、異なる数の空間フローの割り当て方式及び対応する指標を含む。空間フローの合計数は規定されるが、割り当ては、異なる数の空間フローに従って、実行されてよい。概して、ＳＵ−ＭＩＭＯモードにおいて、局は、空間フローシーケンス番号の昇順で、空間フローを連続的に用いる。ＭＵ−ＭＩＭＯモードにおいて、局グループは、空間フローシーケンス番号の昇順で、空間フローを連続的に用いる。空間フロー割り当てテーブルは、全ての可能な組み合わせが詳しく検討された後で、生成される。 
【０１３４】
８つの空間フローが例として用いられ、空間フロー割り当てテーブルにおいて、指標０から７は、単一のフローの８つの異なる割り当て方式にそれぞれ対応する。
【０１３５】
指標８から１１は、２つの空間フローの４つの異なる割り当て方式にそれぞれ対応する。好ましくは、２つの空間フローの異なる割り当て方式は、２つの連続する隣接空間フローに従って、シーケンス番号の昇順で、分割を実行するものとし、同じ空間フローは、再利用されない。従って、２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含む。
【０１３６】
指標１２及び１３は、３つの空間フローの２つの異なる割り当て方式にそれぞれ対応する。３つの空間フローの異なる割り当て方式は、３つの連続する隣接空間フローに従って、シーケンス番号の昇順で、分割を実行するものとし、同じ空間フローは、再利用されない。従って、３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含む。
【０１３７】
指標１４及び１５は、４つの空間フローの２つの異なる割り当て方式にそれぞれ対応する。４つの空間フローの異なる割り当て方式は、４つの連続する隣接空間フローに従って、シーケンス番号の昇順で、分割を実行するものとし、同じ空間フローは、再利用されない。従って、４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含む。
【０１３８】
指標１６は、５つの空間フローの１つの割り当て方式に対応する。５つの空間フローの割り当て方式は、空間フローシーケンス番号が第１、第２、第３、第４、及び第５である空間フローの割り当て方式を含む。
【０１３９】
指標１７は、６つの空間フローの１つの割り当て方式に対応する。６つの空間フローの割り当て方式は、空間フローシーケンス番号が第１、第２、第３、第４、第５、及び第６である空間フローの割り当て方式を含む。
【０１４０】
指標１８は、７つの空間フローの１つの割り当て方式に対応する。７つの空間フローの割り当て方式は、空間フローシーケンス番号が第１、第２、第３、第４、第５、第６、及び第７である空間フローの割り当て方式を含む。
【０１４１】
指標１９は、８つの空間フローの１つの割り当て方式に対応する。８つの空間フローの割り当て方式は、空間フローシーケンス番号が第１、第２、第３、第４、第５、第６、第７、及び第８である空間フローの割り当て方式を含む。
【０１４２】
具体的には、前述の空間フロー割り当てテーブルは、表９に示され得る。
【表９】
2020022200.tif 000015
【０１４３】
前述の表において、各指標は、一意の割り当て方式に対応する。例えば、指標「０」は、「空間フローシーケンス番号が第１である空間フローの割り当て方式」を特定し、指標「８」は、「空間フローシーケンス番号が第１及び第２である空間フローの割り当て方式」を特定する。詳細は、本明細書において説明されない。
【０１４４】
他の実施形態において、前述の空間フロー情報は、ビットマップ（Ｂｉｔｍａｐ）を含んでよい。ビットマップは、局に割り当てられた空間フロー割り当て方式及びシーケンス番号を示すために用いられる。具体的には、ビットマップは、割り当てられた空間フローの数及び対応するシーケンス番号を特定するために用いられてよい。
【０１４５】
空間フローシーケンス番号は、ＬＴＦのシーケンス番号、又はＰ行列における空間フローに対応する行列の行番号、又はＭＵ−ＭＩＭＯにおける空間フローのシーケンス番号であってよい。
【０１４６】
前述の実施形態に基づいて、ＡＰは、リソース指示情報におけるサブリソース指示情報の各々を、別個にチェック及びコーディングする。このように、対応する局又は局グループは、全リソース指示情報をデコードする必要なく、サブリソース指示情報の各々を別個にデコードしてよい。これにより、リソース消費が大幅に減少する。
【０１４７】
さらに、前述のサブリソース指示情報は、対応する局の変調及びコーディング方式（Ｍｏｄｕｌａｔｉｏｎ  ａｎｄ  Ｃｏｄｉｎｇ  Ｓｃｈｅｍｅ、略してＭＣＳ）情報、空間時間ブロックコーディング（Ｓｐａｃｅ  Ｔｉｍｅ  Ｂｌｏｃｋ  Ｃｏｄｉｎｇ、略してＳＴＢＣ）を用いるか否かについての指示情報、低密度パリティチェック（ＬＤＰＣ）コーディングを用いるか否かについての指示情報、及びビーム形成を用いるか否かについての指示情報をさらに含んでよい。
【０１４８】
さらにサブリソース指示情報は、対応する局の識別子をさらに含んでよい。この場合、サブリソース指示情報を連続的に読み出すプロセスにおいて、局は、識別子に従って、サブリソース指示情報が局に属するか否かを決定してよい。好ましくは、対応する局の識別子は、対応する局の関連付け識別子（Ａｓｓｏｃｉａｔｉｏｎ  Ｉｄｅｎｔｉｆｉｅｒ、略してＡＩＤ）又は部分的関連付け識別子（Ｐａｒｔｉａｌ  Ａｓｓｏｃｉａｔｉｏｎ  Ｉｄｅｎｔｉｆｉｅｒ、略してＰＡＩＤ）であってよい。具体的な実装プロセスにおいて、チェック方式は、巡回冗長性チェック（ＣＲＣ）により部分的ＡＩＤ情報のビットをスクランブルすることによって、実装されてよい。
【０１４９】
同様に、局グループに対して、サブリソース指示情報は、対応する局グループの識別子を保持してもよい。
【０１５０】
図５は、例として用いられる。図５は、完全なサブリソース指示情報を示す。ＡＩＤは、１１ビットを占有する必要がある。ＡＩＤがＣＲＣによりスクランブルされる必要がある場合に、ＣＲＣは、さらに８ビットを占有する必要がある。周波数ドメインリソース割り当てテーブルにおける指標は、ＷＬＡＮシステムの異なる帯域幅に従って、４ビット、５ビット、６ビット、又は７ビットを占有してよい。詳細については、周波数ドメインリソース割り当てテーブルについて前述された関連内容を参照されたい。空間フロー割り当てテーブルにおける指標は、５ビットを占有する必要がある。ＭＣＳ情報は、４ビットを占有する必要がある。ＳＴＢＣを用いるか否かについての指示情報、ＬＤＰＣを用いるか否かについての指示情報、及びビーム形成を用いるか否かについての指示情報は、各々、１ビットのみを占有する必要がある。その理由は、「はい」又は「いいえ」のみが特定される必要があるからである。例えば、「１」は、「はい」を特定するために用いられ、「０」は、「いいえ」を特定するために用いられる。当然のこととして、本発明は、図５に示される事項に限定されるものではない。
【０１５１】
他の実施形態において、ＡＰが、複数の対応する局に、リソース指示情報を保持するフレームを送信することは、具体的には、以下の通りであってよい。すなわち、ＡＰは、ＰＰＤＵを複数の対応する局に送信する。リソース指示情報は、ＰＰＤＵにおける物理層収束プロトコル（ＰＬＣＰ）ヘッダ（Ｈｅａｄｅｒ）フィールドのＨＥ−ＳＩＧＢ部分に保持される、又は、ＰＰＤＵのＭＡＣ部分に保持される。
【０１５２】
同様に、アクセスポイントが、複数の局グループに、リソース指示情報を保持するフレームを送信する場合に、ＡＰは、ＰＰＤＵを複数の対応する局グループに送信してもよい。リソース指示情報は、ＰＰＤＵにおけるＰＬＣＰヘッダのＨＥ−ＳＩＧＢ部分に保持される。
【０１５３】
前述のＰＰＤＵは、トリガフレームであってよく、又は、ＰＰＤＵは、アップリンクもしくはダウンリンクデータを伝送するデータフレームであってよい。
【０１５４】
図６及び図７において、ＰＰＤＵが、例として用いられる。図６に示される方式において、ＨＥ−ＳＩＧＢ部分は、共通部分及び別個の部分を含む。共通部分は、固定長を有し、データ部分のロングトレーニングフィールド（Ｌｏｎｇ  Ｔｒａｉｎｉｎｇ  Ｆｉｅｌｄ、略してＬＴＦ）指示情報及びガードインターバル（Ｇｕａｒｄ  Ｉｎｔｅｒｖａｌ、略してＧＩ）情報のような固定長の情報を含んでよい。共通部分は、別個にチェック及びコーディングされる。別個の部分は、全てのサブリソース指示情報を含む。例えば、図６における「Ｐｅｒ−ＳＴＡ  ＲＡｎ」は、１つのサブリソース指示情報を表す。ＣＲＣ部分が、エラーチェックのために、各サブリソース指示情報の後に追加される。Ｔａｉｌは、テールビットを表す。テールビットは、コーダを初期状態に戻すために用いられる。ＣＲＣは、エラーチェックに用いられてよい。
【０１５５】
図７に示される方式において、ＰＰＤＵのＨＥ−ＳＩＧＡは、データ部分のＬＴＦ指示情報及びＧＩ情報のような固定長の情報を含む。ＨＥ−ＳＩＧＢの別個の部分は、全てのサブリソース指示情報を含む。
【０１５６】
図５に示される情報は、各サブリソース指示情報における情報である。
【０１５７】
さらに、ＡＰが、複数の局に、リソース指示情報を保持するフレームを送信する場合において、各サブリソース指示情報は、対応する局の識別子を含まなくてよく、対応する局の識別子は、ＨＥ−ＳＩＧＢの共通部分において示されてよい。前述の実施形態において、ＡＰがＰＰＤＵを複数の対応する局に送信する場合に、ＰＰＤＵにおけるＨＥ−ＳＩＧＢ部分の共通部分は、複数の局を示すために用いられるＯＦＤＭＡ局グループ識別子（ＯＦＤＭＡ  ＳＴＡ  Ｇｒｏｕｐ  ＩＤ）をさらに含む。
【０１５８】
すなわち、複数の局は、一様な識別子を有し、全ての対応する局は、ＯＦＤＭＡ局グループ識別子にマッピングされる。
【０１５９】
これに対応して、ＡＰがＰＰＤＵを複数の対応する局に送信する前に、ＡＰは、管理フレームを複数の対応する局に送信してよい。管理フレームは、対応する局が属する複数の局のＯＦＤＭＡ局グループ識別子及び複数の局における各局の位置情報を示すために用いられる。リソース指示情報を保持するフレームを受信した後で、局側は、管理フレームにおいて示される、局が属する複数の局のＯＦＤＭＡ局グループ識別子に従って、局によって受信された、リソース指示情報を保持するフレームが、局が属する複数の局に対応するリソース指示情報を保持するか否かを決定してよい。局によって受信された、リソース指示情報を保持するフレームが、局が属する複数の局に対応するリソース指示情報を保持する場合に、局は、管理フレームにおいて示される、複数の局における局の位置に従って、局のサブリソース指示情報を特定する。例えば、管理フレームが、特定の局が１０の局における第５の局であることを示す場合に、局は、他のリソース指示情報を読み出す必要なく、リソース指示情報における第５のサブリソース指示情報が、当該局のリソース指示情報であると決定する。
【０１６０】
図８は、本発明において提供されるＷＬＡＮシステムのリソース指示方法の実施形態２の模式的フローチャートである。方法は、局によって実行される。局は、前述の実施形態における局であってよい。図１を参照すると、局は、ＡＰに対応する複数の局のいずれか１つであってよい。方法は、ＡＰ側に関して、前述の方法に対応する。図８に示されるように、方法は、以下の段階を含む。
【０１６１】
Ｓ８０１：局は、アクセスポイントによって送信された、リソース指示情報を保持するフレームを受信する。ここで、リソース指示情報は、サブリソース指示情報を複数含む。
【０１６２】
Ｓ８０２：局は、サブリソース指示情報を予め設定された順序で連続的に読み出し、サブリソース指示情報の読み出しによって、局に対応するサブリソース指示情報が取得された後で、読み出しを停止する。
【０１６３】
具体的には、図６又は図７を参照すると、リソース指示情報を保持するフレームにおけるサブリソース指示情報は、特定の順序に従ってソートされる。リソース指示情報を受信した後で、局は、サブリソース指示情報を予め設定された順序、例えば、昇順で連続的に読み出してよい。
【０１６４】
サブリソース指示情報は、対応する局の周波数ドメインリソース割り当て情報及び／又は空間フロー情報を含む。
【０１６５】
本実施形態において、局は、アクセスポイントによって送信された、リソース指示情報を保持するフレームを受信する。リソース指示情報は、サブリソース指示情報を複数含む。局は、サブリソース指示情報を予め設定された順序で連続的に読み出し、サブリソース指示情報の読み出しによって、局に対応するサブリソース指示情報が取得された後で、読み出しを停止する。このように、局は、全リソース指示情報を読み出す必要がない。これにより、リソース消費が大幅に減少し、効率が改善される。
【０１６６】
さらに、前述の周波数ドメインリソース割り当て情報は、周波数ドメインリソース割り当てテーブルにおける指標を含む。これに対応して、局に対応するサブリソース指示情報が取得された後で、読み出しによって、前述の局は、周波数ドメインリソース割り当てテーブルにおける指標に従って、局に一意に対応する周波数ドメインリソース単位のサイズ及び位置について、周波数ドメインリソース割り当てテーブルをサーチする。
【０１６７】
具体的には、周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各サブ周波数ドメインリソースの位置、及び周波数ドメインリソース割り当てテーブルにおける指標を含む。  異なるサイズの周波数ドメインリソース単位を用いることによって実行される分割の後で取得されるサブ周波数ドメインリソースが付番される場合、指標は再利用されないことに留意されたい。
【０１６８】
周波数ドメインリソース割り当てテーブルは、ＷＬＡＮシステムの異なる帯域幅に従って、異なる。具体的な内容については、前述の実施形態における表１から表８を参照されたい。詳細は、本明細書において再度説明されない。
【０１６９】
他の実施形態において、前述の空間フロー情報は、空間フロー割り当てテーブルにおける指標を含む。これに対応して、局に対応するサブリソース指示情報が取得された後で、読み出しによって、局は、空間フロー割り当てテーブルにおける指標に従って、局に一意に対応する空間フロー割り当て方式及び空間フローシーケンス番号について、空間フロー割り当てテーブルをサーチする。
【０１７０】
空間フローシーケンス番号は、ＬＴＦのシーケンス番号、又はＰ行列における行番号、又はＭＵ−ＭＩＭＯにおける空間フローのシーケンス番号であってよい。
【０１７１】
より具体的には、前述の空間フロー割り当てテーブルは、異なる数の空間フローの割り当て方式及び対応する指標を含んでよい。空間フローの合計数は規定されるが、組み合わせ方式は異なる。
【０１７２】
空間フロー割り当てテーブルの具体的な内容については、前述の表９を参照されたい。詳細は、本明細書において再度説明されない。
【０１７３】
他の実施形態において、前述の空間フロー情報は、ビットマップを含んでよい。ビットマップは、局に割り当てられた空間フロー割り当て方式及び空間フローシーケンス番号を示すために用いられる。これに対応して、局に対応するサブリソース指示情報が取得された後で、読み出しによって、局は、ビットマップに従って、局に一意に対応する空間フロー割り当て方式及び空間フローシーケンス番号を決定してよい。
【０１７４】
空間フローシーケンス番号は、ＬＴＦのシーケンス番号、又はＰ行列における行番号、又はＭＵ−ＭＩＭＯにおける空間フローの位置であってよい。
【０１７５】
他の実施形態において、局が、サブリソース指示情報を予め設定された順序で連続的に読み出し、サブリソース指示情報の読み出しによって、局に対応するサブリソース指示情報が取得された後で、読み出しを停止することは、具体的には、以下の通りであってよい。すなわち、局は、サブリソース指示情報を予め設定された順序で連続的に読み出し、各サブリソース指示情報を別個にデコードし、局に対応するサブリソース指示情報が取得された後で、サブリソース指示情報の読み出しを停止する。
【０１７６】
さらに前述のサブリソース指示情報は、局のＭＣＳ情報、ＳＴＢＣを用いるか否かについての指示情報、ＬＤＰＣを用いるか否かについての指示情報、及びビーム形成を用いるか否かについての指示情報をさらに含む。
【０１７７】
他の実施形態において、局が、アクセスポイントによって送信された、リソース指示情報を保持するフレームを受信することは、具体的には、以下の通りであってよい。すなわち、前述の局は、アクセスポイントによって送信された、リソース指示情報を保持するＰＰＤＵを受信する。リソース指示情報は、ＰＰＤＵにおけるＰＬＣＰヘッダのＨＥ−ＳＩＧＢ部分、又はＰＰＤＵのＭＡＣ部分に保持される。
【０１７８】
ＰＰＤＵは、トリガフレームであってよく、又は、ＰＰＤＵは、アップリンクもしくはダウンリンクデータを伝送するデータフレームであってよい。
【０１７９】
さらに、局が、局のサブリソース指示情報を特定することができるように、サブリソース指示情報は、対応する局の識別子をさらに含む。識別子は、ＡＩＤ又はＰＡＩＤであってよい。
【０１８０】
当然のこととして、サブリソース指示情報の各々は、対応する局の識別子を保持しなくてよく、リソース指示情報を保持するフレームが、全ての局の識別子を保持する。 
【０１８１】
具体的には、ＰＰＤＵにおけるＨＥ−ＳＩＧＢ部分の共通部分は、複数の局を示すために用いられるＯＦＤＭＡ局グループ識別子をさらに含む。
【０１８２】
さらに、リソース指示情報を保持するフレームを受信する前に、局は、ＡＰによって送信された管理フレームをさらに受信する。管理フレームは、対応する局が属する複数の局のＯＦＤＭＡ局グループ識別子及び複数の局における各局の位置情報を示すために用いられる。
【０１８３】
これに対応して、局が、サブリソース指示情報を予め設定された順序で連続的に読み出し、読み出しによって、局に対応するサブリソース指示情報が取得された後で、サブリソース指示情報の読み出しを停止することは、具体的には、以下の通りであってよい。すなわち、局は、管理フレームにおいて示される、局が属する複数の局のＯＦＤＭＡ局グループ識別子に従って、かつ、管理フレームにおいて示される、複数の局における各局の位置情報に従って、リソース指示情報における、局に対応するサブリソース指示情報を読み出す。
【０１８４】
すなわち、局は、最初に、ＯＦＤＭＡ局グループ識別子に従って、当該局が複数の局に属するか否かを決定する。局が複数の局に属する場合に、局は、管理フレームにおいて示される、局の位置情報に従って、どのサブリソース指示情報が局に属するかを決定し続け、決定が完了した後で、他のサブリソース指示情報を読み出す必要なく、局に対応するサブリソース指示情報を直接読み出す。この方式において、リソース消費は、より減少され得る。
【０１８５】
図９は、本発明において提供されるＷＬＡＮシステムのリソース指示装置の実施形態１の模式的構造図である。装置は、前述の実施形態におけるアクセスポイントにおいて、統合されてよい。図９に示されるように、装置は、生成モジュール９０１及び送信モジュール９０２を含む。
【０１８６】
生成モジュール９０１は、リソース指示情報を保持するフレームを生成するように構成される。
【０１８７】
送信モジュール９０２は、複数の局に、リソース指示情報を保持するフレームを送信するように構成され、ここで、リソース指示情報は、サブリソース指示情報を複数含み、これに対応して、サブリソース指示情報の各々は、複数の局の１つに一意に対応し、サブリソース指示情報は、対応する局の周波数ドメインリソース割り当て情報及び／又は空間フロー情報を含む、又は、複数の局グループに、リソース指示情報を保持するフレームを送信するように構成され、ここで、リソース指示情報は、サブリソース指示情報を複数含み、これに対応して、サブリソース指示情報の各々は、複数の局グループの１つに一意に対応し、サブリソース指示情報は、対応する局グループの周波数ドメインリソース割り当て情報及び／又は空間フロー情報を含む。
【０１８８】
装置は、アクセスポイント側において、前述の方法の実施形態を実行するように構成される。これらの実装原理及び技術的効果は同様であり、詳細は、本明細書において再度説明されない。
【０１８９】
周波数ドメインリソース割り当て情報は、周波数ドメインリソース割り当てテーブルにおける指標を含み、これにより、局は、周波数ドメインリソース割り当てテーブルにおける指標に従って、局に一意に対応する周波数ドメインリソース単位のサイズ及び位置について、周波数ドメインリソース割り当てテーブルをサーチする、又は、局グループは、周波数ドメインリソース割り当てテーブルにおける指標に従って、局グループに一意に対応する周波数ドメインリソース単位のサイズ及び位置について、周波数ドメインリソース割り当てテーブルをサーチする。周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各サブ周波数ドメインリソースの位置、及び周波数ドメインリソース割り当てテーブルにおける指標を含む。
【０１９０】
周波数ドメインリソース割り当てテーブルの具体的な内容については、前述の実施形態における表１から表８を参照されたい。詳細は、本明細書において再度説明されない。
【０１９１】
さらに、空間フロー情報は、空間フロー割り当てテーブルにおける指標を含み、これにより、局は、空間フロー割り当てテーブルにおける指標に従って、局に一意に対応する空間フロー割り当て方式及び空間フローシーケンス番号について、空間フロー割り当てテーブルをサーチする。
【０１９２】
空間フローシーケンス番号は、ＬＴＦのシーケンス番号、又はＰ行列における空間フローに対応する行列の行番号、又はＭＵ−ＭＩＭＯにおける空間フローのシーケンス番号である。
【０１９３】
具体的には、空間フロー割り当てテーブルは、異なる数の空間フローの割り当て方式及び対応する指標を含む。
【０１９４】
前述の空間フロー割り当てテーブルの具体的な内容については、前述の表９の内容を参照されたい。詳細は、本明細書において再度説明されない。
【０１９５】
他の実施形態において、空間フロー情報は、ビットマップを含む。ビットマップは、対応する局に割り当てられた空間フロー割り当て方式及び空間フローシーケンス番号を示すために用いられる。空間フローシーケンス番号は、ＬＴＦのシーケンス番号、又はＰ行列における空間フローに対応する行列の行番号、又はＭＵ−ＭＩＭＯにおける空間フローのシーケンス番号である。
【０１９６】
さらに、前述のサブリソース指示情報は、対応する局のＭＣＳ情報、ＳＴＢＣを用いるか否かについての指示情報、ＬＤＰＣを用いるか否かについての指示情報、ビーム形成を用いるか否かについての指示情報等をさらに含んでよい。
【０１９７】
図１０は、本発明において提供されるＷＬＡＮシステムのリソース指示装置の実施形態２の模式的構造図である。図１０に示されるように、図９に基づいて、装置は、リソース指示情報におけるサブリソース指示情報の各々を別個にチェック及びコーディングするように構成されるコーディングモジュール９０３をさらに含んでよい。
【０１９８】
さらにサブリソース指示情報は、対応する局の識別子をさらに含む。識別子は、ＡＩＤ又はＰＡＩＤであってよい。
【０１９９】
他の実施形態において、送信モジュール９０２は、具体的には、複数の局に、リソース指示情報を保持するＰＰＤＵを送信する、又は、複数の局グループに、リソース指示情報を保持するＰＰＤＵを送信するように構成される。
【０２００】
リソース指示情報は、ＰＰＤＵのＰＬＣＰヘッダフィールドのＨＥ−ＳＩＧＢ部分、又はＰＰＤＵのＭＡＣ部分に保持される。
【０２０１】
ＰＰＤＵは、トリガフレーム又はアップリンク／ダウンリンクデータを伝送するデータフレームであってよい。しかしながら、本発明は、これに限定されるものではない。
【０２０２】
他の実施形態において、ＰＰＤＵにおけるＨＥ−ＳＩＧＢ部分の共通部分は、複数の局を示すために用いられる直交周波数分割多重アクセスＯＦＤＭＡ局グループ識別子をさらに含む。これに対応して、送信モジュール９０２は、ＰＰＤＵを複数の局に送信する前に、管理フレームを複数の局に送信するようにさらに構成される。管理フレームは、対応する局が属する複数の局のＯＦＤＭＡ局グループ識別子及び複数の局における各局の位置情報を示すために用いられる。
【０２０３】
図１１は、本発明において提供されるＷＬＡＮシステムのリソース指示装置の実施形態３の模式的構造図である。装置は、前述の実施形態における局において、統合されてよい。図１１に示されるように、装置は、受信モジュール１１１及び読み出しモジュール１１２を含む。
【０２０４】
受信モジュール１１１は、アクセスポイントによって送信された、リソース指示情報を保持するフレームを受信するように構成される。リソース指示情報は、サブリソース指示情報を複数含む。
【０２０５】
読み出しモジュール１１２は、サブリソース指示情報を予め設定された順序で連続的に読み出し、サブリソース指示情報の読み出しによって、局に対応するサブリソース指示情報が取得された後で、読み出しを停止するように構成される。
【０２０６】
サブリソース指示情報は、対応する局の周波数ドメインリソース割り当て情報及び／又は空間フロー情報を含む。
【０２０７】
図１２は、本発明において提供されるＷＬＡＮシステムのリソース指示装置の実施形態４の模式的構造図である。前述の周波数ドメインリソース割り当て情報は、周波数ドメインリソース割り当てテーブルにおける指標を含む。これに対応して、
【０２０８】
図１１に基づいて、装置は、第１のサーチモジュール１１３をさらに含んでよい。
【０２０９】
第１のサーチモジュール１１３は、周波数ドメインリソース割り当てテーブルにおける指標に従って、局に一意に対応する周波数ドメインリソース単位のサイズ及び位置について、周波数ドメインリソース割り当てテーブルをサーチするように構成される。
【０２１０】
周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各サブ周波数ドメインリソースの位置、及び周波数ドメインリソース割り当てテーブルにおける指標を含む。
【０２１１】
周波数ドメインリソース割り当てテーブルの関連内容については、前述の表１から表８を参照されたい。詳細は、本明細書において再度説明されない。
【０２１２】
図１３は、本発明において提供されるＷＬＡＮシステムのリソース指示装置の実施形態５の模式的構造図である。空間フロー情報は、空間フロー割り当てテーブルにおける指標を含む。これに対応して、図１１に基づいて、前述の装置は、第２のサーチモジュール１１４をさらに含んでよい。
【０２１３】
第２のサーチモジュール１１４は、空間フロー割り当てテーブルにおける指標に従って、局に一意に対応する空間フロー割り当て方式及び空間フローシーケンス番号について、空間フロー割り当てテーブルをサーチするように構成される。空間フローシーケンス番号は、ＬＴＦのシーケンス番号、又はＰ行列における空間フローに対応する行列の行番号、又はＭＵ−ＭＩＭＯにおける空間フローのシーケンス番号である。空間フロー割り当てテーブルは、異なる数の空間フローの割り当て方式及び対応する指標を含む。
【０２１４】
空間フロー割り当てテーブルの関連内容については、前述の表９を参照されたい。詳細は、本明細書において再度説明されない。
【０２１５】
図１４は、本発明において提供されるＷＬＡＮシステムのリソース指示装置の実施形態６の模式的構造図である。空間フロー情報は、ビットマップを含み、ビットマップは、局に割り当てられた空間フロー割り当て方式及び空間フローシーケンス番号を示すために用いられる。これに対応して、図１１に基づいて、前述の装置は、決定モジュール１１５をさらに含んでよい。
【０２１６】
決定モジュール１１５は、ビットマップに従って、局に一意に対応する空間フロー割り当て方式及び空間フローシーケンス番号を決定するように構成される。空間フローシーケンス番号は、ＬＴＦのシーケンス番号、又はＰ行列における空間フローに対応する行列の行番号、又はＭＵ−ＭＩＭＯにおける空間フローのシーケンス番号である。
【０２１７】
さらに、前述のサブリソース指示情報は、対応する局のＭＣＳ情報、ＳＴＢＣを用いるか否かについての指示情報、ＬＤＰＣを用いるか否かについての指示情報、ビーム形成を用いるか否かについての指示情報等をさらに含んでよい。
【０２１８】
さらにサブリソース指示情報は、対応する局の識別子をさらに含む。識別子は、ＡＩＤ又はＰＡＩＤであってよい。
【０２１９】
他の実施形態において、読み出しモジュール１１２は、具体的には、サブリソース指示情報を予め設定された順序で連続的に読み出し、サブリソース指示情報の各々を別個にデコードし、局に対応するサブリソース指示情報が取得された後で、サブリソース指示情報の読み出しを停止するように構成される。
【０２２０】
他の実施形態において、受信モジュール１１１は、具体的には、リソース指示情報を保持するＰＰＤＵを受信するように構成される。リソース指示情報は、ＰＰＤＵのＰＬＣＰヘッダフィールドのＨＥ−ＳＩＧＢ部分、又はＰＰＤＵのＭＡＣ部分に保持される。ＰＰＤＵは、トリガフレーム又はアップリンク／ダウンリンクデータを伝送するデータフレームであってよい。
【０２２１】
前述の実施形態に基づいて、ＰＰＤＵにおけるＨＥ−ＳＩＧＢ部分の共通部分は、複数の局を示すために用いられるＯＦＤＭＡ局グループ識別子をさらに含んでよい。これに対応して、
【０２２２】
受信モジュール１１１は、アクセスポイントによって送信された管理フレームを受信するようにさらに構成される。管理フレームは、対応する局が属する複数の局のＯＦＤＭＡ局グループ識別子及び複数の局における各局の位置情報を示すために用いられる。
【０２２３】
読み出しモジュール１１２は、具体的には、管理フレームにおいて示される、局が属する複数の局のＯＦＤＭＡ局グループ識別子に従って、かつ、管理フレームにおいて示される、複数の局における局の位置情報に従って、リソース指示情報における、局に対応するサブリソース指示情報を読み出すように構成される。
【０２２４】
図１５は、本発明において提供されるＷＬＡＮシステムのリソース指示装置の実施形態７の模式的構造図である。装置は、アクセスポイントにおいて、統合されてよい。図１５に示されるように、装置は、プロセッサ１５０及び送信機１５１を含んでよい。装置は、アクセスポイント側において、方法の実施形態を実行するように構成される。実装原理及び技術的効果は、同様である。送信機１５１は、データを局側に送信し、他のオペレーションは、プロセッサ１５０によって全て実行される。
【０２２５】
プロセッサ１５０は、リソース指示情報を保持するフレームを生成するように構成される。送信機１５１は、複数の局に、リソース指示情報を保持するフレームを送信するように構成され、ここで、リソース指示情報は、サブリソース指示情報を複数含み、これに対応して、サブリソース指示情報の各々は、複数の局の１つに一意に対応し、サブリソース指示情報は、対応する局の周波数ドメインリソース割り当て情報及び／又は空間フロー情報を含む、又は、複数の局グループに、リソース指示情報を保持するフレームを送信するように構成され、ここで、リソース指示情報は、サブリソース指示情報を複数含み、これに対応して、サブリソース指示情報の各々は、複数の局グループの１つに一意に対応し、サブリソース指示情報は、対応する局グループの周波数ドメインリソース割り当て情報及び／又は空間フロー情報を含む。
【０２２６】
リソース指示情報の関連内容については、前述の実施形態を参照されたい。詳細は、本明細書において再度説明されない。
【０２２７】
プロセッサ１５０は、リソース指示情報におけるサブリソース指示情報の各々を、別個にチェック及びコーディングするようにさらに構成される。
【０２２８】
送信機１５１は、具体的には、複数の局に、リソース指示情報を保持する物理層プロトコルデータユニットＰＰＤＵを送信する、又は、複数の局グループに、リソース指示情報を保持するＰＰＤＵを送信するように構成される。
【０２２９】
リソース指示情報は、ＰＰＤＵにおける物理層収束プロトコルＰＬＣＰヘッダフィールドのＨＥ−ＳＩＧＢ部分、又はＰＰＤＵのＭＡＣ部分に保持される。ＰＰＤＵは、トリガフレーム又はアップリンク／ダウンリンクデータを伝送するデータフレームである。
【０２３０】
ＰＰＤＵにおけるＨＥ−ＳＩＧＢ部分の共通部分は、複数の局を示すために用いられるＯＦＤＭＡ局グループ識別子をさらに含む。これに対応して、
【０２３１】
送信機１５１は、ＰＰＤＵを複数の局に送信する前に、管理フレームを複数の局に送信するようにさらに構成される。管理フレームは、対応する局が属する複数の局のＯＦＤＭＡ局グループ識別子及び複数の局における各局の位置情報を示すために用いられる。
【０２３２】
図１６は、本発明において提供されるＷＬＡＮシステムのリソース指示装置の実施形態８の模式的構造図である。装置は、局側において統合されてよい。図１６に示されるように、装置は、受信機１６０及びプロセッサ１６１を含んでよい。装置は、局側において、前述の方法を実行するように構成される。実装原理及び技術的効果は、同様である。受信機１６０は、ＡＰ側によって送信されたデータを受信し、他のオペレーションは、全てプロセッサ１６１によって実行される。
【０２３３】
受信機１６０は、アクセスポイントによって送信された、リソース指示情報を保持するフレームを受信するように構成される。リソース指示情報は、サブリソース指示情報を複数含む。プロセッサ１６１は、サブリソース指示情報を予め設定された順序で連続的に読み出し、サブリソース指示情報の読み出しによって、局に対応するサブリソース指示情報が取得された後で、読み出しを停止するように構成される。
【０２３４】
サブリソース指示情報は、対応する局の周波数ドメインリソース割り当て情報及び／又は空間フロー情報を含む。
【０２３５】
リソース指示情報の関連内容については、前述の実施形態を参照されたい。詳細は、本明細書において再度説明されない。
【０２３６】
前述の方法及び装置の実施形態に基づいて、前述のサブリソース指示情報は、対応する局の周波数ドメインリソース割り当て情報及び／又は空間フロー情報を含んでよいことに留意されたい。
【０２３７】
サブリソース指示情報の各々は、複数の局の１つの局に対応する。
【０２３８】
本発明において提供されるいくつかの実施形態において、開示される装置及び方法は、他の方式で実装されてよいことを理解されたい。例えば、説明される装置の実施形態は、例に過ぎない。例えば、ユニットの分割は、論理的機能の分割に過ぎず、実際の実装においては他の分割であってよい。例えば、複数のユニット又はコンポーネントは、他のシステムと組み合わせられてよく、又はこれに統合されてよい。又は、いくつかの機能は、無視されてよく、又は、実行されなくてよい。さらに、表示又は説明された相互連結もしくは直接連結又は通信接続は、いくつかのインタフェースを用いることによって実装されてよい。装置間又はユニット間の間接連結又は通信接続は、電子的、機械的、又は他の形式で、実装されてよい。
【０２３９】
別個の部分として説明されるユニットは、物理的に別個であってもなくてもよく、ユニットとして表示される部分は、物理的ユニットであってもなくてもよく、一箇所に位置しても、複数のネットワークユニットにおいて分散されてもよい。ユニットのいくつか又は全ては、実施形態の解決手段の目的を実現するように、実際の必要性に従って選択されてよい。
【０２４０】
さらに、本発明の実施形態における機能ユニットは、１つの処理ユニットに統合されてよく、又は、ユニットの各々は、物理的に単独で存在してよく、又は、２つもしくはそれより多くのユニットが、１つのユニットに統合されてよい。統合ユニットは、ハードウェアの形式で実装されてよく、又は、ソフトウェア機能ユニットに加えて、ハードウェアの形式で実装されてよい。
【０２４１】
前述の統合ユニットがソフトウェア機能ユニットの形式で実装される場合に、統合ユニットは、コンピュータ可読記憶媒体に格納されてよい。ソフトウェア機能ユニットは、記憶媒体に格納され、本発明の実施形態において説明される方法の段階の一部を実行するよう、コンピュータデバイス（パーソナルコンピュータ、サーバ、もしくはネットワークデバイスであってよい）又はプロセッサに命令するためのいくつかの命令を含む。前述の記憶媒体は、ＵＳＢフラッシュドライブ、リムーバブルハードディスク、リードオンリメモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、又は光ディスクのような、プログラムコーディングを格納可能な任意の媒体を含む。
【０２４２】
最後に、前述の実施形態は、本発明の技術的解決手段を説明することを意図されたものに過ぎず、本発明を限定するものではないことに留意されたい。本発明は、前述の実施形態に関連して詳細に説明されたが、当業者であれば、当業者らが本発明の実施形態の技術的解決手段の範囲から逸脱することなく、さらに、前述の実施形態において説明された技術的解決手段に複数の変更を加え得ること、又は均等置換をこれらの技術的特徴の一部もしくは全てになし得ることを理解しよう。
［項目１］
ＷＬＡＮシステムのリソース指示方法であって、
アクセスポイントによって、リソース指示情報を保持するフレームを生成する段階と、
上記アクセスポイントによって、複数の局に、上記リソース指示情報を保持する上記フレームを送信する段階であって、上記リソース指示情報は、サブリソース指示情報を複数含み、これに対応して、上記サブリソース指示情報の各々は、上記複数の局の１つに一意に対応し、上記サブリソース指示情報は、対応する局の周波数ドメインリソース割り当て情報及び／又は空間フロー情報を含む、段階、又は、
上記アクセスポイントによって、複数の局グループに、上記リソース指示情報を保持する上記フレームを送信する段階であって、上記リソース指示情報は、サブリソース指示情報を複数含み、これに対応して、上記サブリソース指示情報の各々は、上記複数の局グループの１つに一意に対応し、上記サブリソース指示情報は、対応する局グループの周波数ドメインリソース割り当て情報及び／又は空間フロー情報を含む、段階と、
を備える方法。
［項目２］
上記周波数ドメインリソース割り当て情報は、周波数ドメインリソース割り当てテーブルにおける指標を含み、これにより、上記局は、上記周波数ドメインリソース割り当てテーブルにおける上記指標に従って、上記局に一意に対応する周波数ドメインリソース単位のサイズ及び位置について、上記周波数ドメインリソース割り当てテーブルをサーチする、又は、上記局グループは、上記周波数ドメインリソース割り当てテーブルにおける上記指標に従って、上記局グループに一意に対応する周波数ドメインリソース単位のサイズ及び位置について、上記周波数ドメインリソース割り当てテーブルをサーチし、
上記周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各周波数ドメインリソース単位の位置、及び上記周波数ドメインリソース割り当てテーブルにおける上記指標を含む、
項目１に記載の方法。
［項目３］
上記ＷＬＡＮシステムの帯域幅が２０ＭＨｚである場合に、
上記周波数ドメインリソース割り当てテーブルにおける上記周波数ドメインリソース単位の上記サイズは、２６のトーン、５２のトーン、及び１０６のトーンを含む、又は、上記周波数ドメインリソース割り当てテーブルにおける上記周波数ドメインリソース単位の上記サイズは、２６のトーン、５２のトーン、及び１０７のトーンを含む、又は、上記周波数ドメインリソース割り当てテーブルにおける上記周波数ドメインリソース単位の上記サイズは、２６のトーン、５２のトーン、及び１０８のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれる、
項目２に記載の方法。
［項目４］
上記ＷＬＡＮシステムの帯域幅が２０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれ、
周波数ドメインリソース単位の上記サイズが２４２のトーンである場合、１つのリソース割り当て方式が含まれる、
項目２に記載の方法。
［項目５］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれる、
項目２に記載の方法。
［項目６］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれ、
周波数ドメインリソース単位の上記サイズが４８４のトーンである場合、１つのリソース割り当て方式が含まれる、
項目２に記載の方法。
［項目７］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれる、
項目２に記載の方法。
［項目８］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれる、
項目２に記載の方法。
［項目９］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目２に記載の方法。
［項目１０］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目２に記載の方法。
［項目１１］
上記空間フロー情報は、空間フロー割り当てテーブルにおける指標を含み、これにより、上記局は、上記空間フロー割り当てテーブルにおける上記指標に従って、上記局に一意に対応する空間フロー割り当て方式及び空間フローシーケンス番号について、上記空間フロー割り当てテーブルをサーチし、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目１に記載の方法。
［項目１２］
上記空間フロー割り当てテーブルは、異なる数の空間フロー下における割り当て方式及び対応する指標を含む、
項目１１に記載の方法。
［項目１３］
異なる数の空間フロー下における上記割り当て方式及び上記対応する指標は、
指標０から７が、単一のフローの８つの異なる割り当て方式にそれぞれ対応し、
指標８から１１が、２つの空間フローの４つの異なる割り当て方式にそれぞれ対応し、上記２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含み、
指標１２及び１３が、３つの空間フローの２つの異なる割り当て方式にそれぞれ対応し、上記３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含み、
指標１４及び１５が、４つの空間フローの２つの異なる割り当て方式にそれぞれ対応し、上記４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含み、
指標１６は、５つの空間フローの１つの割り当て方式に対応し、上記５つの空間フローの割り当て方式は、空間フローシーケンス番号が第１、第２、第３、第４、及び第５である空間フローの割り当て方式を含み、
指標１７は、６つの空間フローの１つの割り当て方式に対応し、上記６つの空間フローの割り当て方式は、空間フローシーケンス番号が第１、第２、第３、第４、第５、及び第６である空間フローの割り当て方式を含み、
指標１８は、７つの空間フローの１つの割り当て方式に対応し、上記７つの空間フローの割り当て方式は、空間フローシーケンス番号が第１、第２、第３、第４、第５、第６、及び第７である空間フローの割り当て方式を含み、
指標１９は、８つの空間フローの１つの割り当て方式に対応し、上記８つの空間フローの割り当て方式は、空間フローシーケンス番号が第１、第２、第３、第４、第５、第６、第７、及び第８である空間フローの割り当て方式を含む
ことを含む、
項目１２に記載の方法。
［項目１４］
上記空間フロー情報は、ビットマップを含み、上記ビットマップは、対応する局に割り当てられた空間フロー割り当て方式及び空間フローシーケンス番号を示すために用いられ、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目１に記載の方法。
［項目１５］
上記サブリソース指示情報は、対応する局の変調及びコーディング方式ＭＣＳ情報、空間時間ブロックコーディングＳＴＢＣを用いるか否かについての指示情報、低密度パリティチェック（ＬＤＰＣ）コーディングを用いるか否かについての指示情報、及びビーム形成を用いるか否かについての指示情報をさらに含む、
項目１に記載の方法。
［項目１６］
上記アクセスポイントによって、上記リソース指示情報における上記サブリソース指示情報の各々を別個にチェック及びコーディングする段階をさらに備える、
項目１に記載の方法。
［項目１７］
上記サブリソース指示情報は、対応する局の識別子をさらに含む、
項目１、１５又は１６に記載の方法。
［項目１８］
上記対応する局の上記識別子は、上記対応する局の関連付け識別子ＡＩＤ又は上記局の部分的関連付け識別子ＰＡＩＤである、
項目１７に記載の方法。
［項目１９］
上記アクセスポイントによって、複数の局に、上記リソース指示情報を保持する上記フレームを送信する上記段階は、
上記アクセスポイントによって、上記複数の局に、上記リソース指示情報を保持する物理層プロトコルデータユニットＰＰＤＵを送信する段階
を含む、又は、
上記アクセスポイントによって、複数の局グループに、上記リソース指示情報を保持する上記フレームを送信する上記段階は、
上記アクセスポイントによって、上記複数の局グループに、上記リソース指示情報を保持する物理層プロトコルデータユニットＰＰＤＵを送信する段階であって、上記リソース指示情報は、上記ＰＰＤＵにおける物理層収束プロトコルＰＬＣＰヘッダフィールドのＨＥ−ＳＩＧＢ部分又は上記ＰＰＤＵのＭＡＣ部分に保持され、上記ＰＰＤＵは、トリガフレーム又はアップリンク／ダウンリンクデータを伝送するデータフレームである、段階
を含む、
項目１に記載の方法。
［項目２０］
上記ＰＰＤＵにおける上記ＨＥ−ＳＩＧＢ部分の共通部分は、上記複数の局を示すために用いられる直交周波数分割多重アクセスＯＦＤＭＡ局のグループ識別子をさらに含む、
項目１９に記載の方法。
［項目２１］
上記アクセスポイントが上記ＰＰＤＵを上記複数の局に送信する前に、
上記アクセスポイントによって、管理フレームを上記複数の局に送信する段階であって、上記管理フレームは、対応する局が属する上記複数の局の上記ＯＦＤＭＡ局グループ識別子及び上記複数の局における各局の位置情報を示すために用いられる、段階
をさらに備える、
項目２０に記載の方法。
［項目２２］
ＷＬＡＮシステムのリソース指示方法であって、
アクセスポイントによって送信された、リソース指示情報を保持するフレームを、局によって受信する段階であって、上記リソース指示情報は、サブリソース指示情報を複数含む、段階と、
上記局によって、上記サブリソース指示情報を予め設定された順序で連続的に読み出し、上記サブリソース指示情報の読み出しによって、上記局に対応するサブリソース指示情報が取得された後で、読み出しを停止する段階であって、上記サブリソース指示情報は、対応する局の周波数ドメインリソース割り当て情報及び／又は空間フロー情報を含む、段階と、
を備える方法。
［項目２３］
上記周波数ドメインリソース割り当て情報は、周波数ドメインリソース割り当てテーブルにおける指標を含み、上記局が、読み出しによって、上記局に対応する上記サブリソース指示情報を取得した後で、上記方法は、
上記局によって、上記周波数ドメインリソース割り当てテーブルにおける上記指標に従って、上記局に一意に対応する周波数ドメインリソース単位のサイズ及び位置について、上記周波数ドメインリソース割り当てテーブルをサーチする段階
をさらに備え、
上記周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各周波数ドメインリソース単位の位置、及び上記周波数ドメインリソース割り当てテーブルにおける上記指標を含む、
項目２２に記載の方法。
［項目２４］
上記ＷＬＡＮシステムの帯域幅が２０メガヘルツＭＨｚである場合に、
上記周波数ドメインリソース割り当てテーブルにおける上記周波数ドメインリソース単位の上記サイズは、２６のトーン、５２のトーン、及び１０６のトーンを含む、又は、上記周波数ドメインリソース割り当てテーブルにおける上記周波数ドメインリソース単位の上記サイズは、２６のトーン、５２のトーン、及び１０７のトーンを含む、又は、上記周波数ドメインリソース割り当てテーブルにおける上記周波数ドメインリソース単位の上記サイズは、２６のトーン、５２のトーン、及び１０８のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれる、
項目２３に記載の方法。
［項目２５］
上記ＷＬＡＮシステムの帯域幅が２０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれ、
周波数ドメインリソース単位の上記サイズが２４２のトーンである場合、１つのリソース割り当て方式が含まれる、
項目２３に記載の方法。
［項目２６］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれる、
項目２３に記載の方法。
［項目２７］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれ、
周波数ドメインリソース単位の上記サイズが４８４のトーンである場合、１つのリソース割り当て方式が含まれる、
項目２３に記載の方法。
［項目２８］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれる、
項目２３に記載の方法。
［項目２９］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれる、
項目２３に記載の方法。
［項目３０］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目２３に記載の方法。
［項目３１］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目２３に記載の方法。
［項目３２］
上記空間フロー情報は、空間フロー割り当てテーブルにおける指標を含み、
上記局が、読み出しによって、上記局に対応する上記サブリソース指示情報を取得した後で、上記方法は、
上記局によって、上記空間フロー割り当てテーブルにおける上記指標に従って、上記局に一意に対応する空間フロー割り当て方式及び空間フローシーケンス番号について、上記空間フロー割り当てテーブルをサーチする段階
をさらに備え、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目２２に記載の方法。
［項目３３］
上記空間フロー割り当てテーブルは、異なる数の空間フロー下における割り当て方式及び対応する指標を含む、
項目３２に記載の方法。
［項目３４］
異なる数の空間フロー下における上記割り当て方式及び上記対応する指標は、
指標０から７が、単一のフローの８つの異なる割り当て方式にそれぞれ対応し、
指標８から１１が、２つの空間フローの４つの異なる割り当て方式にそれぞれ対応し、上記２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含み、
指標１２及び１３が、３つの空間フローの２つの異なる割り当て方式にそれぞれ対応し、上記３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含み、
指標１４及び１５が、４つの空間フローの２つの異なる割り当て方式にそれぞれ対応し、上記４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含み、
指標１６は、５つの空間フローの１つの割り当て方式に対応し、上記５つの空間フローの割り当て方式は、空間フローシーケンス番号が第１、第２、第３、第４、及び第５である空間フローの割り当て方式を含み、
指標１７は、６つの空間フローの１つの割り当て方式に対応し、上記６つの空間フローの割り当て方式は、空間フローシーケンス番号が第１、第２、第３、第４、第５、及び第６である空間フローの割り当て方式を含み、
指標１８は、７つの空間フローの１つの割り当て方式に対応し、上記７つの空間フローの割り当て方式は、空間フローシーケンス番号が第１、第２、第３、第４、第５、第６、及び第７である空間フローの割り当て方式を含み、
指標１９は、８つの空間フローの１つの割り当て方式に対応し、上記８つの空間フローの割り当て方式は、空間フローシーケンス番号が第１、第２、第３、第４、第５、第６、第７、及び第８である空間フローの割り当て方式を含む
ことを含む、
項目３３に記載の方法。
［項目３５］
上記空間フロー情報は、ビットマップを含み、上記ビットマップは、上記局に割り当てられた空間フロー割り当て方式及び空間フローシーケンス番号を示すために用いられ、
上記局が、読み出しによって、上記局に対応する上記サブリソース指示情報を取得した後で、上記方法は、
上記局によって、上記ビットマップに従って、上記局に一意に対応する上記空間フロー割り当て方式及び上記空間フローシーケンス番号を決定する段階
をさらに備え、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目２２に記載の方法。
［項目３６］
上記サブリソース指示情報は、上記局の変調及びコーディング方式ＭＣＳ情報、空間時間ブロックコーディングＳＴＢＣを用いるか否かについての指示情報、低密度パリティチェック（ＬＤＰＣ）コーディングを用いるか否かについての指示情報、及びビーム形成を用いるか否かについての指示情報をさらに含む、
項目２２に記載の方法。
［項目３７］
上記局によって、上記サブリソース指示情報を予め設定された順序で連続的に読み出し、上記サブリソース指示情報の読み出しによって、上記局に対応するサブリソース指示情報が取得された後で、読み出しを停止する上記段階は、
上記局によって、上記予め設定された順序における上記サブリソース指示情報の各々を連続的に読み出し、上記サブリソース指示情報の各々を別個にデコードし、上記局に対応する上記サブリソース指示情報が取得された後で、上記サブリソース指示情報の読み出しを停止する段階
を含む、
項目２２に記載の方法。
［項目３８］
上記サブリソース指示情報は、対応する局の識別子をさらに含む、
項目２２、３６又は３７に記載の方法。
［項目３９］
上記対応する局の上記識別子は、上記対応する局の関連付け識別子ＡＩＤ又は上記対応する局の部分的関連付け識別子ＰＡＩＤである、
項目３８に記載の方法。
［項目４０］
アクセスポイントによって送信された、リソース指示情報を保持するフレームを、局によって受信する上記段階は、
上記局によって、上記リソース指示情報を保持する物理層プロトコルデータユニットＰＰＤＵを受信する段階であって、上記リソース指示情報は、上記ＰＰＤＵにおける物理層収束プロトコルＰＬＣＰヘッダフィールドのＨＥ−ＳＩＧＢ部分、又は上記ＰＰＤＵのＭＡＣ部分に保持される、段階
を含み、
上記ＰＰＤＵは、トリガフレーム又はアップリンク／ダウンリンクデータを伝送するデータフレームである、
項目２２に記載の方法。
［項目４１］
上記ＰＰＤＵにおける上記ＨＥ−ＳＩＧＢ部分の共通部分は、複数の局を示すために用いられる直交周波数分割多重アクセスＯＦＤＭＡ局グループ識別子をさらに含む、
項目４０に記載の方法。
［項目４２］
上記アクセスポイントによって送信された管理フレームを、上記局によって受信する段階であって、上記管理フレームは、対応する局が属する上記複数の局の上記ＯＦＤＭＡ局グループ識別子、及び上記複数の局における各局の位置情報を示すために用いられる、段階
をさらに備え、
上記局によって、上記サブリソース指示情報を予め設定された順序で連続的に読み出し、上記サブリソース指示情報の読み出しによって、上記局に対応するサブリソース指示情報が取得された後で、読み出しを停止する上記段階は、
上記局によって、上記管理フレームにおいて示される、上記局が属する上記複数の局の上記ＯＦＤＭＡ局グループ識別子に従って、かつ、上記管理フレームにおいて示される、上記複数の局における上記局の上記位置情報に従って、上記リソース指示情報における、上記局に対応する上記サブリソース指示情報を読み出す段階
を含む、
項目４１に記載の方法。
［項目４３］
ＷＬＡＮシステムのリソース指示装置であって、
リソース指示情報を保持するフレームを生成するように構成される生成モジュールと、
複数の局に、上記リソース指示情報を保持する上記フレームを送信するように構成される送信モジュールであって、上記リソース指示情報は、サブリソース指示情報を複数含み、これに対応して、上記サブリソース指示情報の各々は、上記複数の局の１つに一意に対応し、上記サブリソース指示情報は、対応する局の周波数ドメインリソース割り当て情報及び／又は空間フロー情報を含む、送信モジュール、又は、
複数の局グループに、上記リソース指示情報を保持する上記フレームを送信するように構成される送信モジュールであって、上記リソース指示情報は、サブリソース指示情報を複数含み、これに対応して、上記サブリソース指示情報の各々は、上記複数の局グループの１つに一意に対応し、上記サブリソース指示情報は、対応する局グループの周波数ドメインリソース割り当て情報及び／又は空間フロー情報を含む、送信モジュールと、
を備える装置。
［項目４４］
上記周波数ドメインリソース割り当て情報は、周波数ドメインリソース割り当てテーブルにおける指標を含み、これにより、上記局は、上記周波数ドメインリソース割り当てテーブルにおける上記指標に従って、上記局に一意に対応する周波数ドメインリソース単位のサイズ及び位置について、上記周波数ドメインリソース割り当てテーブルをサーチする、又は、上記局グループは、上記周波数ドメインリソース割り当てテーブルにおける上記指標に従って、上記局グループに一意に対応する周波数ドメインリソース単位のサイズ及び位置について、上記周波数ドメインリソース割り当てテーブルをサーチし、
上記周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各周波数ドメインリソース単位の位置、及び上記周波数ドメインリソース割り当てテーブルにおける上記指標を含む、
項目４３に記載の装置。
［項目４５］
上記ＷＬＡＮシステムの帯域幅が２０メガヘルツＭＨｚである場合に、
上記周波数ドメインリソース割り当てテーブルにおける上記周波数ドメインリソース単位の上記サイズは、２６のトーン、５２のトーン、及び１０６のトーンを含む、又は、上記周波数ドメインリソース割り当てテーブルにおける上記周波数ドメインリソース単位の上記サイズは、２６のトーン、５２のトーン、及び１０７のトーンを含む、又は、上記周波数ドメインリソース割り当てテーブルにおける上記周波数ドメインリソース単位の上記サイズは、２６のトーン、５２のトーン、及び１０８のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれる、
項目４４に記載の装置。
［項目４６］
上記ＷＬＡＮシステムの帯域幅が２０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれ、
周波数ドメインリソース単位の上記サイズが２４２のトーンである場合、１つのリソース割り当て方式が含まれる、
項目４４に記載の装置。
［項目４７］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれる、
項目４４に記載の装置。
［項目４８］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれ、
周波数ドメインリソース単位の上記サイズが４８４のトーンである場合、１つのリソース割り当て方式が含まれる、
項目４４に記載の装置。
［項目４９］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれる、
項目４４に記載の装置。
［項目５０］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれる、
項目４４に記載の装置。
［項目５１］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目４４に記載の装置。
［項目５２］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目４４に記載の装置。
［項目５３］
上記空間フロー情報は、空間フロー割り当てテーブルにおける指標を含み、これにより、上記局は、上記空間フロー割り当てテーブルにおける上記指標に従って、上記局に一意に対応する空間フロー割り当て方式及び空間フローシーケンス番号について、上記空間フロー割り当てテーブルをサーチし、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目４３に記載の装置。
［項目５４］
上記空間フロー割り当てテーブルは、異なる数の空間フローの割り当て方式及び対応する指標を含む、
項目５３に記載の装置。
［項目５５］
異なる数の空間フローの上記割り当て方式及び上記対応する指標は、
指標０から７が、単一のフローの８つの異なる割り当て方式にそれぞれ対応し、
指標８から１１が、２つの空間フローの４つの異なる割り当て方式にそれぞれ対応し、上記２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含み、
指標１２及び１３が、３つの空間フローの２つの異なる割り当て方式にそれぞれ対応し、上記３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含み、
指標１４及び１５が、４つの空間フローの２つの異なる割り当て方式にそれぞれ対応し、上記４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含み、
指標１６は、５つの空間フローの１つの割り当て方式に対応し、上記５つの空間フローの割り当て方式は、空間フローシーケンス番号が第１、第２、第３、第４、及び第５である空間フローの割り当て方式を含み、
指標１７は、６つの空間フローの１つの割り当て方式に対応し、上記６つの空間フローの割り当て方式は、空間フローシーケンス番号が第１、第２、第３、第４、第５、及び第６である空間フローの割り当て方式を含み、
指標１８は、７つの空間フローの１つの割り当て方式に対応し、上記７つの空間フローの割り当て方式は、空間フローシーケンス番号が第１、第２、第３、第４、第５、第６、及び第７である空間フローの割り当て方式を含み、
指標１９は、８つの空間フローの１つの割り当て方式に対応し、上記８つの空間フローの割り当て方式は、空間フローシーケンス番号が第１、第２、第３、第４、第５、第６、第７、及び第８である空間フローの割り当て方式を含む
ことを含む、
項目５４に記載の装置。
［項目５６］
上記空間フロー情報は、ビットマップを含み、上記ビットマップは、対応する局に割り当てられた空間フロー割り当て方式及び空間フローシーケンス番号を示すために用いられ、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目４３に記載の装置。
［項目５７］
上記サブリソース指示情報は、対応する局の変調及びコーディング方式ＭＣＳ情報、空間時間ブロックコーディングＳＴＢＣを用いるか否かについての指示情報、低密度パリティチェック（ＬＤＰＣ）コーディングを用いるか否かについての指示情報、及びビーム形成を用いるか否かについての指示情報をさらに含む、
項目４３に記載の装置。
［項目５８］
上記リソース指示情報における上記サブリソース指示情報の各々を別個にチェック及びコーディングするように構成されるコーディングモジュールをさらに備える、
項目４３に記載の装置。
［項目５９］
上記サブリソース指示情報は、対応する局の識別子をさらに含む、
項目４３、５７又は５８に記載の装置。
［項目６０］
上記対応する局の上記識別子は、上記対応する局の関連付け識別子ＡＩＤ又は上記局の部分的関連付け識別子ＰＡＩＤである、
項目５９に記載の装置。
［項目６１］
上記送信モジュールは、具体的には、上記複数の局に、上記リソース指示情報を保持する物理層プロトコルデータユニットＰＰＤＵを送信する、又は、上記複数の局グループに、上記リソース指示情報を保持するＰＰＤＵを送信するように構成され、
上記リソース指示情報は、上記ＰＰＤＵにおける物理層収束プロトコルＰＬＣＰヘッダフィールドのＨＥ−ＳＩＧＢ部分、又は上記ＰＰＤＵのＭＡＣ部分に保持され、上記ＰＰＤＵは、トリガフレーム又はアップリンク／ダウンリンクデータを伝送するデータフレームである、
項目４３に記載の装置。
［項目６２］
上記ＰＰＤＵにおける上記ＨＥ−ＳＩＧＢ部分の共通部分は、上記複数の局を示すために用いられる直交周波数分割多重アクセスＯＦＤＭＡ局グループ識別子をさらに含む、
項目６１に記載の装置。
［項目６３］
上記送信モジュールは、上記ＰＰＤＵを上記複数の局に送信する前に、管理フレームを上記複数の局に送信するようにさらに構成され、上記管理フレームは、対応する局が属する上記複数の局の上記ＯＦＤＭＡ局グループ識別子、及び上記複数の局における各局の位置情報を示すために用いられる、
項目６２に記載の装置。
［項目６４］
ＷＬＡＮシステムのリソース指示装置であって、
アクセスポイントによって送信された、リソース指示情報を保持するフレームを受信するように構成される受信モジュールであって、上記リソース指示情報は、サブリソース指示情報を複数含む、受信モジュールと、
上記サブリソース指示情報を予め設定された順序で連続的に読み出し、上記サブリソース指示情報の読み出しによって、局に対応するサブリソース指示情報が取得された後で、読み出しを停止するように構成される読み出しモジュールと、
を備え、
上記サブリソース指示情報は、対応する局の周波数ドメインリソース割り当て情報及び／又は空間フロー情報を含む、
装置。
［項目６５］
上記周波数ドメインリソース割り当て情報は、周波数ドメインリソース割り当てテーブルにおける指標を含み、上記装置は、
上記周波数ドメインリソース割り当てテーブルにおける上記指標に従って、上記局に一意に対応する周波数ドメインリソース単位のサイズ及び位置について、上記周波数ドメインリソース割り当てテーブルをサーチするように構成される第１のサーチモジュール
をさらに備え、
上記周波数ドメインリソース割り当てテーブルは、複数の異なるサイズの周波数ドメインリソース単位、各サイズの周波数ドメインリソース単位に対応する周波数ドメインリソース割り当て方式の数、各サイズの周波数ドメインリソース単位を用いることによって実行される分割の後で取得される、全周波数ドメインリソースにおける各周波数ドメインリソース単位の位置、及び上記周波数ドメインリソース割り当てテーブルにおける上記指標を含む、
項目６４に記載の装置。
［項目６６］
上記ＷＬＡＮシステムの帯域幅が２０メガヘルツＭＨｚである場合に、
上記周波数ドメインリソース割り当てテーブルにおける上記周波数ドメインリソース単位の上記サイズは、２６のトーン、５２のトーン、及び１０６のトーンを含む、又は、上記周波数ドメインリソース割り当てテーブルにおける上記周波数ドメインリソース単位の上記サイズは、２６のトーン、５２のトーン、及び１０７のトーンを含む、又は、上記周波数ドメインリソース割り当てテーブルにおける上記周波数ドメインリソース単位の上記サイズは、２６のトーン、５２のトーン、及び１０８のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれる、
項目６５に記載の装置。
［項目６７］
上記ＷＬＡＮシステムの帯域幅が２０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、９つのリソース割り当て方式が含まれ、
周波数ドメインリソース単位の上記サイズが５２のトーンである場合、４つのリソース割り当て方式が含まれ、
周波数ドメインリソース単位の上記サイズが１０６のトーン、１０７のトーン、又は１０８のトーンである場合、２つのリソース割り当て方式が含まれ、
周波数ドメインリソース単位の上記サイズが２４２のトーンである場合、１つのリソース割り当て方式が含まれる、
項目６５に記載の装置。
［項目６８］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、及び２４２のトーンを含む、又は、上記周波数ドメインリソース割り当てテーブルにおける上記周波数ドメインリソース単位の上記サイズは、２６のトーン、５２のトーン、１０７のトーン、及び２４２のトーンを含む、又は、上記周波数ドメインリソース割り当てテーブルにおける上記周波数ドメインリソース単位の上記サイズは、２６のトーン、５２のトーン、１０８のトーン、及び２４２のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれる、
項目６５に記載の装置。
［項目６９］
上記ＷＬＡＮシステムの帯域幅が４０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、１８のリソース割り当て方式が含まれ、
周波数ドメインリソース単位の上記サイズが５２のトーンである場合、８つのリソース割り当て方式が含まれ、
周波数ドメインリソース単位の上記サイズが１０６のトーン、１０７のトーン、又は１０８のトーンである場合、４つのリソース割り当て方式が含まれ、
周波数ドメインリソース単位の上記サイズが２４２のトーンである場合、２つのリソース割り当て方式が含まれ、
周波数ドメインリソース単位の上記サイズが４８４のトーンである場合、１つのリソース割り当て方式が含まれる、
項目６５に記載の装置。
［項目７０］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれる、
項目６５に記載の装置。
［項目７１］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、３７のリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれる、
項目６５に記載の装置。
［項目７２］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０７のトーン、２４２のトーン、及び４８４のトーンを含む、又は、上記周波数ドメインリソース割り当てテーブルにおける上記周波数ドメインリソース単位の上記サイズは、２６のトーン、５２のトーン、１０８のトーン、２４２のトーン、及び４８４のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目６５に記載の装置。
［項目７３］
上記ＷＬＡＮシステムの帯域幅が８０ＭＨｚである場合に、
上記周波数ドメインリソース割り当てテーブルにおける上記周波数ドメインリソース単位の上記サイズは、２６のトーン、５２のトーン、１０６のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０７のトーン、２４２のトーン、４８４のトーン、及び９９６のトーンを含む、又は、上記周波数ドメインリソース割り当てテーブルにおける上記周波数ドメインリソース単位の上記サイズは、２６のトーン、５２のトーン、１０８のトーン、２４２のトーン、４８４のトーン、及び９９６のトーンを含み、
周波数ドメインリソース単位の上記サイズが２６のトーンである場合、５つのリソース割り当て方式が含まれ、
周波数ドメインリソース単位の上記サイズが５２のトーンである場合、１６のリソース割り当て方式が含まれ、
周波数ドメインリソース単位の上記サイズが１０６のトーン、１０７のトーン、又は１０８のトーンである場合、８つのリソース割り当て方式が含まれ、
周波数ドメインリソース単位の上記サイズが２４２のトーンである場合、４つのリソース割り当て方式が含まれ、
周波数ドメインリソース単位の上記サイズが４８４のトーンである場合、２つのリソース割り当て方式が含まれ、
周波数ドメインリソース単位の上記サイズが９９６のトーンである場合、１つのリソース割り当て方式が含まれ、
周波数ドメインリソース単位の上記サイズが２６のトーンである周波数ドメインリソースは、他の周波数ドメインリソース単位を用いることによって実行される分割の後で取得される残存周波数ドメインリソースである、
項目６５に記載の装置。
［項目７４］
上記空間フロー情報は、空間フロー割り当てテーブルにおける指標を含み、上記装置は、
上記空間フロー割り当てテーブルにおける上記指標に従って、上記局に一意に対応する空間フロー割り当て方式及び空間フローシーケンス番号について、上記空間フロー割り当てテーブルをサーチするように構成される第２のサーチモジュール
をさらに備え、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目６４に記載の装置。
［項目７５］
上記空間フロー割り当てテーブルは、異なる数の空間フロー下における割り当て方式及び対応する指標を含む、
項目７４に記載の装置。
［項目７６］
異なる数の空間フロー下における上記割り当て方式及び上記対応する指標は、
指標０から７が、単一のフローの８つの異なる割り当て方式にそれぞれ対応し、
指標８から１１が、２つの空間フローの４つの異なる割り当て方式にそれぞれ対応し、上記２つの空間フローの異なる割り当て方式は、空間フローシーケンス番号が第１及び第２である空間フローの割り当て方式、空間フローシーケンス番号が第３及び第４である空間フローの割り当て方式、空間フローシーケンス番号が第５及び第６である空間フローの割り当て方式、ならびに空間フローシーケンス番号が第７及び第８である空間フローの割り当て方式を含み、
指標１２及び１３が、３つの空間フローの２つの異なる割り当て方式にそれぞれ対応し、上記３つの空間フローの異なる割り当て方式は、空間フローシーケンス番号が第１、第２、及び第３である空間フローの割り当て方式、ならびに空間フローシーケンス番号が第４、第５、及び第６である空間フローの割り当て方式を含み、
指標１４及び１５が、４つの空間フローの２つの異なる割り当て方式にそれぞれ対応し、上記４つの空間フローの異なる割り当て方式は、空間フローシーケンス番号が第１、第２、第３、及び第４である空間フローの割り当て方式、ならびに空間フローシーケンス番号が第５、第６、第７、及び第８である空間フローの割り当て方式を含み、
指標１６は、５つの空間フローの１つの割り当て方式に対応し、上記５つの空間フローの割り当て方式は、空間フローシーケンス番号が第１、第２、第３、第４、及び第５である空間フローの割り当て方式を含み、
指標１７は、６つの空間フローの１つの割り当て方式に対応し、上記６つの空間フローの割り当て方式は、空間フローシーケンス番号が第１、第２、第３、第４、第５、及び第６である空間フローの割り当て方式を含み、
指標１８は、７つの空間フローの１つの割り当て方式に対応し、上記７つの空間フローの割り当て方式は、空間フローシーケンス番号が第１、第２、第３、第４、第５、第６、及び第７である空間フローの割り当て方式を含み、
指標１９は、８つの空間フローの１つの割り当て方式に対応し、上記８つの空間フローの割り当て方式は、空間フローシーケンス番号が第１、第２、第３、第４、第５、第６、第７、及び第８である空間フローの割り当て方式を含む
ことを含む、
項目７５に記載の装置。
［項目７７］
上記空間フロー情報は、ビットマップを含み、上記ビットマップは、上記局に割り当てられた空間フロー割り当て方式及び空間フローシーケンス番号を示すために用いられ、上記装置は、
上記ビットマップに従って、上記局に一意に対応する上記空間フロー割り当て方式及び上記空間フローシーケンス番号を決定するように構成される決定モジュール
をさらに備え、
上記空間フローシーケンス番号は、ロングトレーニングフィールドＬＴＦのシーケンス番号、又はＰ行列における空間フローに対応する行列の行番号、又はマルチユーザ多入力多出力ＭＵ−ＭＩＭＯにおける空間フローのシーケンス番号である、
項目６４に記載の装置。
［項目７８］
上記サブリソース指示情報は、上記局の変調及びコーディング方式ＭＣＳ情報、空間時間ブロックコーディングＳＴＢＣを用いるか否かについての指示情報、低密度パリティチェック（ＬＤＰＣ）コーディングＬＤＰＣを用いるか否かについての指示情報、及びビーム形成を用いるか否かについての指示情報をさらに含む、
項目６４に記載の装置。
［項目７９］
上記読み出しモジュールは、具体的には、上記サブリソース指示情報の各々を上記予め設定された順序で連続的に読み出し、上記サブリソース指示情報の各々を別個にデコードし、上記局に対応する上記サブリソース指示情報が取得された後で、上記サブリソース指示情報の読み出しを停止するように構成される、
項目６４に記載の装置。
［項目８０］
上記サブリソース指示情報は、対応する局の識別子をさらに含む、
項目６４、７８又は７９に記載の装置。
［項目８１］
上記対応する局の上記識別子は、上記対応する局の関連付け識別子ＡＩＤ又は上記対応する局の部分的関連付け識別子ＰＡＩＤである、
項目８０に記載の装置。
［項目８２］
上記受信モジュールは、具体的には、上記リソース指示情報を保持する物理層プロトコルデータユニットＰＰＤＵを受信するように構成され、上記リソース指示情報は、上記ＰＰＤＵにおける物理層収束プロトコルＰＬＣＰヘッダフィールドのＨＥ−ＳＩＧＢ部分、又は上記ＰＰＤＵのＭＡＣ部分に保持され、
上記ＰＰＤＵは、トリガフレーム又はアップリンク／ダウンリンクデータを伝送するデータフレームである、
項目８１に記載の装置。
［項目８３］
上記ＰＰＤＵにおける上記ＨＥ−ＳＩＧＢ部分の共通部分は、上記複数の局を示すために用いられる直交周波数分割多重アクセスＯＦＤＭＡ局グループ識別子をさらに含む、
項目８２に記載の装置。
［項目８４］
上記受信モジュールは、上記アクセスポイントによって送信された管理フレームを受信するようにさらに構成され、上記管理フレームは、対応する局が属する上記複数の局の上記ＯＦＤＭＡ局グループ識別子、及び上記複数の局における各局の位置情報を示すために用いられ、これに対応して、
上記読み出しモジュールは、具体的には、上記管理フレームにおいて示される、上記局が属する上記複数の局の上記ＯＦＤＭＡ局グループ識別子に従って、かつ、上記管理フレームにおいて示される、上記複数の局における上記局の上記位置情報に従って、上記リソース指示情報における、上記局に対応する上記サブリソース指示情報を読み出すように構成される、
項目８２に記載の装置。
【図１】
2020022200.tif 000016
【図２】
2020022200.tif 000017
【図３】
2020022200.tif 000018
【図４】
2020022200.tif 000019
【図４ａ】
2020022200.tif 000020
【図４ｂ】
2020022200.tif 000021
【図５】
2020022200.tif 000022
【図６】
2020022200.tif 000023
【図７】
2020022200.tif 000024
【図８】
2020022200.tif 000025
【図９】
2020022200.tif 000026
【図１０】
2020022200.tif 000027
【図１１】
2020022200.tif 000028
【図１２】
2020022200.tif 000029
【図１３】
2020022200.tif 000030
【図１４】
2020022200.tif 000031
【図１５】
2020022200.tif 000032
【図１６】
2020022200.tif 000033
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（ＷＬＡＮ）システムのリソース指示方法であって、
アクセスポイントによって、リソース指示情報を保持するフレームを生成する段階と、
前記アクセスポイントによって、前記リソース指示情報を保持する前記フレームを送信する段階であって、前記リソース指示情報は、局の識別子及び前記局の周波数ドメインリソース割り当て情報を含む、段階と、
を備え、
前記周波数ドメインリソース割り当て情報は指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記局の前記周波数ドメインリソース割り当て情報における前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
方法。
【請求項２】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項１に記載の方法。
【請求項３】
ＷＬＡＮシステムの帯域幅が２０ＭＨｚの場合、前記周波数ドメインリソース単位のサイズは、２６のトーン、５２のトーン、１０６のトーン、及び２４２のトーンを含み、
前記指標「０−３６」のうちの９つは、前記２０ＭＨｚ帯域幅に位置する２６のトーンの前記ＲＵに用いられ、
前記指標「３７−５２」のうちの４つは、前記２０ＭＨｚ帯域幅に位置する５２のトーンの前記ＲＵに用いられ、
前記指標「５３−６０」のうちの２つは、前記２０ＭＨｚ帯域幅に位置する１０６のトーンの前記ＲＵに用いられ、
前記指標「６１−６４」のうちの１つは、前記２０ＭＨｚ帯域幅に位置する２４２のトーンの前記ＲＵに用いられる、
請求項１に記載の方法。
【請求項４】
ＷＬＡＮシステムの帯域幅が４０ＭＨｚの場合、前記周波数ドメインリソース単位のサイズは、２６のトーン、５２のトーン、１０６のトーン、２４２のトーン、及び４８４のトーンを含み、
前記指標「０−３６」のうちの１８は、前記４０ＭＨｚ帯域幅に位置する２６のトーンの前記ＲＵに用いられ、
前記指標「３７−５２」のうちの８つは、前記４０ＭＨｚ帯域幅に位置する５２のトーンの前記ＲＵに用いられ、
前記指標「５３−６０」のうちの４つは、前記４０ＭＨｚ帯域幅に位置する１０６のトーンの前記ＲＵに用いられ、
前記指標「６１−６４」のうちの２つは、前記４０ＭＨｚ帯域幅に位置する２４２のトーンの前記ＲＵに用いられ、
前記指標「６５−６６」のうちの１つは、前記４０ＭＨｚ帯域幅に位置する４８４のトーンの前記ＲＵに用いられる、
請求項１に記載の方法。
【請求項５】
ＷＬＡＮシステムの帯域幅が８０ＭＨｚ、１６０ＭＨｚ又は８０＋８０ＭＨｚの場合、前記周波数ドメインリソース単位のサイズは、２６のトーン、５２のトーン、１０６のトーン、２４２のトーン、及び４８４のトーン、及び９９６のトーンを含み、
前記指標「０−３６」のうちの３７は、８０ＭＨｚ帯域幅に位置する２６のトーンの前記ＲＵに用いられ、
前記指標「３７−５２」のうちの１６は、８０ＭＨｚ帯域幅に位置する５２のトーンの前記ＲＵに用いられ、
前記指標「５３−６０」のうちの８つは、８０ＭＨｚ帯域幅に位置する１０６のトーンの前記ＲＵに用いられ、
前記指標「６１−６４」のうちの４つは、８０ＭＨｚ帯域幅に位置する２４２のトーンの前記ＲＵに用いられ、
前記指標「６５−６６」のうちの２つは、８０ＭＨｚ帯域幅に位置する４８４のトーンの前記ＲＵに用いられ、
１つの前記指標「６７」は、８０ＭＨｚ帯域幅に位置する９９６のトーンの前記ＲＵに用いられる、
請求項１に記載の方法。
【請求項６】
前記ＷＬＡＮシステムの帯域幅が１６０ＭＨｚ又は８０＋８０ＭＨｚの場合、特定のビットは、２つの８０ＭＨｚ帯域幅の間を区別するために用いられる、請求項１に記載の方法。
【請求項７】
無線ローカルエリアネットワーク（ＷＬＡＮシステム）のリソース指示方法であって、
アクセスポイントによって送信された、リソース指示情報を保持するフレームを、局によって受信する段階であって、前記リソース指示情報は、局の識別子及び前記局の周波数ドメインリソース割り当て情報を含む、段階と、
を備え、
前記周波数ドメインリソース割り当て情報は指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
方法。
【請求項８】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項７に記載の方法。
【請求項９】
前記方法は、前記局に対応するリソース指示情報が取得された後で、前記リソース指示情報の読み出しを停止する段階をさらに備える、請求項７に記載の方法。
【請求項１０】
前記ＷＬＡＮシステムの帯域幅が２０ＭＨｚの場合、前記周波数ドメインリソース単位のサイズは、２６のトーン、５２のトーン、１０６のトーン、及び２４２のトーンを含み、
前記指標「０−３６」のうちの９つは、前記２０ＭＨｚ帯域幅に位置する２６のトーンの前記ＲＵに用いられ、
前記指標「３７−５２」のうちの４つは、前記２０ＭＨｚ帯域幅に位置する５２のトーンの前記ＲＵに用いられ、
前記指標「５３−６０」のうちの２つは、前記２０ＭＨｚ帯域幅に位置する１０６のトーンの前記ＲＵに用いられ、
前記指標「６１−６４」のうちの１つは、前記２０ＭＨｚ帯域幅に位置する２４２のトーンの前記ＲＵに用いられる、
請求項７に記載の方法。
【請求項１１】
前記ＷＬＡＮシステムの帯域幅が４０ＭＨｚの場合、前記周波数ドメインリソース単位のサイズは、２６のトーン、５２のトーン、１０６のトーン、２４２のトーン、及び４８４のトーンを含み、
前記指標「０−３６」のうちの１８は、前記４０ＭＨｚ帯域幅に位置する２６のトーンの前記ＲＵに用いられ、
前記指標「３７−５２」のうちの８つは、前記４０ＭＨｚ帯域幅に位置する５２のトーンの前記ＲＵに用いられ、
前記指標「５３−６０」のうちの４つは、前記４０ＭＨｚ帯域幅に位置する１０６のトーンの前記ＲＵに用いられ、
前記指標「６１−６４」のうちの２つは、前記４０ＭＨｚ帯域幅に位置する２４２のトーンの前記ＲＵに用いられ、
前記指標「６５−６６」のうちの１つは、前記４０ＭＨｚ帯域幅に位置する４８４のトーンの前記ＲＵに用いられる、
請求項７に記載の方法。
【請求項１２】
ＷＬＡＮシステムの帯域幅が８０ＭＨｚ、１６０ＭＨｚ又は８０＋８０ＭＨｚの場合、前記周波数ドメインリソース単位のサイズは、２６のトーン、５２のトーン、１０６のトーン、２４２のトーン、及び４８４のトーン、及び９９６のトーンを含み、
前記指標「０−３６」のうちの３７は、８０ＭＨｚ帯域幅に位置する２６のトーンの前記ＲＵに用いられ、
前記指標「３７−５２」のうちの１６は、８０ＭＨｚ帯域幅に位置する５２のトーンの前記ＲＵに用いられ、
前記指標「５３−６０」のうちの８つは、８０ＭＨｚ帯域幅に位置する１０６のトーンの前記ＲＵに用いられ、
前記指標「６１−６４」のうちの４つは、８０ＭＨｚ帯域幅に位置する２４２のトーンの前記ＲＵに用いられ、
前記指標「６５−６６」のうちの２つは、８０ＭＨｚ帯域幅に位置する４８４のトーンの前記ＲＵに用いられ、
１つの前記指標「６７」は、８０ＭＨｚ帯域幅に位置する９９６のトーンの前記ＲＵに用いられる、
請求項７に記載の方法。
【請求項１３】
前記ＷＬＡＮシステムの帯域幅が１６０ＭＨｚ又は８０＋８０ＭＨｚの場合、特定のビットは、２つの８０ＭＨｚ帯域幅の間を区別するために用いられる、
請求項８に記載の方法。
【請求項１４】
アクセスポイントに構成される、無線ローカルエリアネットワーク（ＷＬＡＮ）システムのリソース指示装置であって、
リソース指示情報を保持するフレームを生成するように構成されるプロセッサと、
前記リソース指示情報を保持する前記フレームを送信するように構成される送信機と、
を備え、
前記リソース指示情報は、局の識別子及び前記局に対応する周波数ドメインリソース割り当て情報を含み、
前記周波数ドメインリソース割り当て情報は、１つの指標を含み、前記１つの指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
装置。
【請求項１５】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項１４に記載の装置。
【請求項１６】
ＷＬＡＮシステムの帯域幅が２０ＭＨｚの場合、前記周波数ドメインリソース単位のサイズは、２６のトーン、５２のトーン、１０６のトーン、及び２４２のトーンを含み、
前記指標「０−３６」のうちの９つは、前記２０ＭＨｚ帯域幅に位置する２６のトーンの前記ＲＵに用いられ、
前記指標「３７−５２」のうちの４つは、前記２０ＭＨｚ帯域幅に位置する５２のトーンの前記ＲＵに用いられ、
前記指標「５３−６０」のうちの２つは、前記２０ＭＨｚ帯域幅に位置する１０６のトーンの前記ＲＵに用いられ、
前記指標「６１−６４」のうちの１つは、前記２０ＭＨｚ帯域幅に位置する２４２のトーンの前記ＲＵに用いられる、
請求項１４に記載の装置。
【請求項１７】
ＷＬＡＮシステムの帯域幅が４０ＭＨｚの場合、前記周波数ドメインリソース単位のサイズは、２６のトーン、５２のトーン、１０６のトーン、２４２のトーン、及び４８４のトーンを含み、
前記指標「０−３６」のうちの１８は、前記４０ＭＨｚ帯域幅に位置する２６のトーンの前記ＲＵに用いられ、
前記指標「３７−５２」のうちの８つは、前記４０ＭＨｚ帯域幅に位置する５２のトーンの前記ＲＵに用いられ、
前記指標「５３−６０」のうちの４つは、前記４０ＭＨｚ帯域幅に位置する１０６のトーンの前記ＲＵに用いられ、
前記指標「６１−６４」のうちの２つは、前記４０ＭＨｚ帯域幅に位置する２４２のトーンの前記ＲＵに用いられ、
前記指標「６５−６６」のうちの１つは、前記４０ＭＨｚ帯域幅に位置する４８４のトーンの前記ＲＵに用いられる、
請求項１４に記載の装置。
【請求項１８】
ＷＬＡＮシステムの帯域幅が８０ＭＨｚ、１６０ＭＨｚ又は８０＋８０ＭＨｚの場合、前記周波数ドメインリソース単位のサイズは、２６のトーン、５２のトーン、１０６のトーン、２４２のトーン、及び４８４のトーン、及び９９６のトーンを含み、
前記指標「０−３６」のうちの３７は、８０ＭＨｚ帯域幅に位置する２６のトーンの前記ＲＵに用いられ、
前記指標「３７−５２」のうちの１６は、８０ＭＨｚ帯域幅に位置する５２のトーンの前記ＲＵに用いられ、
前記指標「５３−６０」のうちの８つは、８０ＭＨｚ帯域幅に位置する１０６のトーンの前記ＲＵに用いられ、
前記指標「６１−６４」のうちの４つは、８０ＭＨｚ帯域幅に位置する２４２のトーンの前記ＲＵに用いられ、
前記指標「６５−６６」のうちの２つは、８０ＭＨｚ帯域幅に位置する４８４のトーンの前記ＲＵに用いられ、
１つの前記指標「６７」は、８０ＭＨｚ帯域幅に位置する９９６のトーンの前記ＲＵに用いられる、
請求項１４に記載の装置。
【請求項１９】
前記ＷＬＡＮシステムの帯域幅が１６０ＭＨｚ又は８０＋８０ＭＨｚの場合、特定のビットは、２つの８０ＭＨｚ帯域幅の間を区別するために用いられる、請求項１４に記載の装置。
【請求項２０】
局に構成される、無線ローカルエリアネットワーク（ＷＬＡＮ）システムのリソース指示装置であって、
アクセスポイントによって送信された、リソース指示情報を保持するフレームを受信するように構成される受信機
を備え、
前記リソース指示情報は、前記局の識別子及び前記局の周波数ドメインリソース割り当て情報を含み、
前記周波数ドメインリソース割り当て情報は、指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
装置。
【請求項２１】
前記装置は、前記局に対応するリソース指示情報が取得された後で、前記リソース指示情報の読み出しを停止するように構成されるプロセッサをさらに備える、請求項２０に記載の装置。
【請求項２２】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項２０に記載の装置。
【請求項２３】
前記ＷＬＡＮシステムの帯域幅が２０ＭＨｚの場合、前記周波数ドメインリソース単位のサイズは、２６のトーン、５２のトーン、１０６のトーン、及び２４２のトーンを含み、
前記指標「０−３６」のうちの９つは、前記２０ＭＨｚ帯域幅に位置する２６のトーンの前記ＲＵに用いられ、
前記指標「３７−５２」のうちの４つは、前記２０ＭＨｚ帯域幅に位置する５２のトーンの前記ＲＵに用いられ、
前記指標「５３−６０」のうちの２つは、前記２０ＭＨｚ帯域幅に位置する１０６のトーンの前記ＲＵに用いられ、
前記指標「６１−６４」のうちの１つは、前記２０ＭＨｚ帯域幅に位置する２４２のトーンの前記ＲＵに用いられる、
請求項２０に記載の装置。
【請求項２４】
前記ＷＬＡＮシステムの帯域幅が４０ＭＨｚの場合、前記周波数ドメインリソース単位のサイズは、２６のトーン、５２のトーン、１０６のトーン、２４２のトーン、及び４８４のトーンを含み、
前記指標「０−３６」のうちの１８は、前記４０ＭＨｚ帯域幅に位置する２６のトーンの前記ＲＵに用いられ、
前記指標「３７−５２」のうちの８つは、前記４０ＭＨｚ帯域幅に位置する５２のトーンの前記ＲＵに用いられ、
前記指標「５３−６０」のうちの４つは、前記４０ＭＨｚ帯域幅に位置する１０６のトーンの前記ＲＵに用いられ、
前記指標「６１−６４」のうちの２つは、前記４０ＭＨｚ帯域幅に位置する２４２のトーンの前記ＲＵに用いられ、
前記指標「６５−６６」のうちの１つは、前記４０ＭＨｚ帯域幅に位置する４８４のトーンの前記ＲＵに用いられる、
請求項２０に記載の装置。
【請求項２５】
ＷＬＡＮシステムの帯域幅が８０ＭＨｚ、１６０ＭＨｚ又は８０＋８０ＭＨｚの場合、前記周波数ドメインリソース単位のサイズは、２６のトーン、５２のトーン、１０６のトーン、２４２のトーン、及び４８４のトーン、及び９９６のトーンを含み、
前記指標「０−３６」のうちの３７は、８０ＭＨｚ帯域幅に位置する２６のトーンの前記ＲＵに用いられ、
前記指標「３７−５２」のうちの１６は、８０ＭＨｚ帯域幅に位置する５２のトーンの前記ＲＵに用いられ、
前記指標「５３−６０」のうちの８つは、８０ＭＨｚ帯域幅に位置する１０６のトーンの前記ＲＵに用いられ、
前記指標「６１−６４」のうちの４つは、８０ＭＨｚ帯域幅に位置する２４２のトーンの前記ＲＵに用いられ、
前記指標「６５−６６」のうちの２つは、８０ＭＨｚ帯域幅に位置する４８４のトーンの前記ＲＵに用いられ、
１つの前記指標「６７」は、８０ＭＨｚ帯域幅に位置する９９６のトーンの前記ＲＵに用いられる、
請求項２０に記載の装置。
【請求項２６】
前記ＷＬＡＮシステムの帯域幅が１６０ＭＨｚ又は８０＋８０ＭＨｚの場合、特定のビットは、２つの８０ＭＨｚ帯域幅の間を区別するために用いられる、
請求項２１に記載の装置。
【請求項２７】
アクセスポイントにおける、無線ローカルエリアネットワーク（ＷＬＡＮ）システムのリソース指示のためのコンピュータ命令を格納する非一時的コンピュータ可読媒体であって、前記コンピュータ命令は、１つ又は複数のプロセッサによって実行された場合に、前記１つ又は複数のプロセッサに、
リソース指示情報を保持するフレームを生成する手順と、
前記リソース指示情報を保持する前記フレームを送信する手順と、
を実行させ、
前記リソース指示情報は、局の識別子及び前記局の周波数ドメインリソース割り当て情報を含み、
前記周波数ドメインリソース割り当て情報は指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
媒体。
【請求項２８】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項２７に記載の媒体。
【請求項２９】
局における、無線ローカルエリアネットワーク（ＷＬＡＮ）システムのリソース指示のためのコンピュータ命令を格納する非一時的コンピュータ可読媒体であって、前記コンピュータ命令は、１つ又は複数のプロセッサによって実行された場合に、前記１つ又は複数のプロセッサに、
アクセスポイントによって送信された、リソース指示情報を保持するフレームを受信する手順
を実行させ、
前記リソース指示情報は、局の識別子及び前記局の周波数ドメインリソース割り当て情報を含み、
前記周波数ドメインリソース割り当て情報は指標を含み、前記指標は、前記ＷＬＡＮシステムの帯域幅における１つの周波数ドメインリソース単位ＲＵのサイズ及び位置を示し、
前記ＷＬＡＮシステムの異なる帯域幅に対して、１つの前記指標は、以下の複数の指標
各々が、１つの局に割り当てられる２６のトーンのＲＵを示す指標「０−３６」
各々が、１つの局に割り当てられる５２のトーンのＲＵを示す指標「３７−５２」
各々が、１つの局に割り当てられる１０６のトーンのＲＵを示す指標「５３−６０」
各々が、１つの局に割り当てられる２４２のトーンのＲＵを示す指標「６１−６４」
各々が、１つの局に割り当てられる４８４のトーンのＲＵを示す指標「６５−６６」
各々が、１つの局に割り当てられる９９６のトーンのＲＵを示す指標「６７」
のうちの１つである、
媒体。
【請求項３０】
前記周波数ドメインリソース割り当て情報における前記指標は、前記局に割り当てられる１６０ＭＨｚ又は（８０＋８０）ＭＨｚ帯域幅における全てのトーンのＲＵを示す、指標「６８−１２７」のうちの１つである、請求項２９に記載の媒体。
【手続補正２】
【補正対象書類名】明細書
【補正対象項目名】０００１
【補正方法】変更
【補正の内容】
【０００１】
本発明は、通信技術に関し、詳細には、ＷＬＡＮシステムのリソース指示方法及び装置に関する。
【手続補正３】
【補正対象書類名】明細書
【補正対象項目名】００５１
【補正方法】変更
【補正の内容】
【００５１】
本発明の実施形態は、ＷＬＡＮに適用可能である。現在、ＷＬＡＮにおいて用いられている規格は、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、略してＩＥＥＥ）８０２．１１シリーズである。ＷＬＡＮは、複数の基本サービスセット（Ｂａｓｉｃ  Ｓｅｒｖｉｃｅ  Ｓｅｔ、略してＢＳＳ）を含んでよい。基本サービスセットにおけるネットワークノードは、ＳＴＡである。局は、アクセスポイントタイプの局（Ａｃｃｅｓｓ  Ｐｏｉｎｔ、略してＡＰ）及びアクセスポイントタイプ以外の局（Ｎｏｎ−Ａｃｃｅｓｓ  Ｐｏｉｎｔ  Ｓｔａｔｉｏｎ、略してＮｏｎ−ＡＰ  ＳＴＡ）を含む。各基本サービスセットは、１つのＡＰと、当該ＡＰに関連付けられた複数のＮｏｎ−ＡＰ  ＳＴＡとを含んでよい。
【外国語明細書】
2020022200000001.pdf